(57)【要約】【課題】本発明の課題は、衛生紙を収納するフイルムレスの収納箱であって、大きなごみが入りにくく、衛生紙の取り出し感が滑らかであり、さらに上面に保持された衛生紙が落下したり前かがみに崩れたりすることなく、しかも衛生紙が前記箱の上面で引き離される際、滑らかに引き離され、また箱や衛生紙の材質に応じて取り出しの滑らかさを調節できる安定した衛生紙の収納箱を開発し、提供することである。【解決手段】２つの羽部を開口部をもち共通の切り込み線状に凹凸の谷部、山部を設け、互いにかみ合うようにして、さらに衛生紙の収納箱の羽部に各種切り込みをいれ、またそのスリットの端部に加工をし、取り出し口全体を、効果が高まる方向へ回転させ、斜めに配置したりする。【選択図】図１
2010013181.tif 000002
【特許請求の範囲】
【請求項１】
開口部を介して取り出される衛生紙が重ねられることにより構成され、かつ重ねられる前記衛生紙に応じた所定の厚みを有する束を内部に収納する箱部と、当該箱部の上面には、二つの部分が、箱の短辺に沿って反対方向に切り開かれることにより、衛生紙を取り出すことができる取出口を連結して形成する、二つの羽部を備え、且つ、前記二つの羽部の付け根部は、当該箱部の長辺に対し略平行で、また長辺に沿って互いに重なる部分をもち、且つ、相対する羽部に属する付け根部の端点からはじまり、前記重なる部分に属する当該羽部の付け根部の端点までつながる共通の切り込み線が設けられ、
且つ、前記共通の切り込み線は、谷部を形成するように湾曲したあと、続いて山部を形成するように湾曲し、さらに続いて谷部を形成するように湾曲していることを特徴とする衛生紙収納用箱。
【請求項２】
開口部を介して取り出される衛生紙が重ねられることにより構成され、かつ重ねられる前記衛生紙に応じた所定の厚みを有する束を内部に収納する箱部と、当該箱部の上面には、二つの部分が、箱の短辺に沿って反対方向に切り開かれることにより、衛生紙を取り出すことができる取出口を連結して形成する、二つの羽部を備え、且つ、前記二つの羽部の付け根部は、当該箱部の長辺に対し略平行で、また長辺に沿って互いに重なる部分をもち、且つ、前記重なる部分に属しまた相対する羽部に属する付け根部の端点からはじまり、前記重なる部分に属する当該羽部の付け根部の端点までつながる共通の切り込み線が設けられ、且つ、前記共通の切り込み線は、前記重なる部分に属しまた相対する羽部に属する付け根部の端点側で、自身の両端部を結んだ直線と当該羽根部の付け根部との間に谷部を形成するように湾曲したあと、前記重なる部分に属する当該羽部の付け根部の端点側で、相対する羽根部の付け根部と前記直線との間に、続いて山部を形成するように湾曲し、さらに続いて谷部を形成するように湾曲していることを特徴とする衛生紙収納用箱。
【請求項３】
開口部を介して取り出される衛生紙が重ねられることにより構成され、かつ重ねられる前記衛生紙に応じた所定の厚みを有する束を内部に収納する箱部と、当該箱部の上面には、二つの部分が、箱の短辺に沿って反対方向に切り開かれることにより、衛生紙を取り出すことができる取出口を連結して形成する、二つの羽部を備え、且つ、前記二つの羽部の付け根部は、当該箱部の長辺に対し略平行で、また長辺に沿って互いに重なる部分をもち、且つ、相対する羽部に属する付け根部の一方の端点からはじまり、当該羽部の付け根部の他方の端点までつながる共通の切り込み線が設けられ、且つ、前記共通の切り込み線は、相対する羽部に属する付け根部の一方の端点側で、自身の両端部を結んだ直線と当該羽根部の付け根部との間に谷部を形成するように湾曲したあと、当該羽部の付け根部の他方の端点側で、相対する羽根部の付け根部と前記直線との間に、続いて山部を形成するように湾曲し、さらに続いて谷部を形成するように湾曲していることを特徴とする衛生紙収納用箱。
【請求項４】
開口部を介して取り出される衛生紙が重ねられることにより構成され、かつ重ねられる前記衛生紙に応じた所定の厚みを有する束を内部に収納する箱部と、当該箱部の上面には、二つの部分が、箱の短辺に沿って反対方向に切り開かれることにより、衛生紙を取り出すことができる取出口を連結して形成する、二つの羽部を備え、且つ、前記二つの羽部の付け根部は、当該箱部の長辺に対し略平行で、また長辺に沿って互いに重なる部分をもち、且つ、相対する羽部に属する付け根部の一方の端点からはじまり、当該羽部の付け根部の他方の端点までつながる共通の切り込み線が設けられ、且つ、前記一方の端点あるいは他方の端点のいずれかが、二つの羽部の付け根部の前記長辺に沿った部分の中の互いに重なる部分には含まれず、且つ、前記共通の切り込み線は、相対する羽部に属する付け根部の一方の端点側で、自身の両端部を結んだ直線と当該羽根部の付け根部との間に谷部を形成するように湾曲したあと、当該羽部の付け根部の他方の端点側で、相対する羽根部の付け根部と前記直線との間に、続いて山部を形成するように湾曲し、さらに続いて谷部を形成するように湾曲していることを特徴とする衛生紙収納用箱。
【請求項５】
衛生紙の束を内部に収納し、この衛生紙を取り出すための取りだし口が設けられた箱であり、前記箱の一面には、折り線が互いに平行で且つ互いが向き合う第一の羽根部と第二の羽根部が切り込み線を形成することにより設けられ、前記切り込み線は、前記第一の羽根部の付け根部の一方の端点から前記第二の羽根部の付け根部の他方の端点まで結ぶ共通の切り込み線を含み、前記共通の切り込み線は、前記第一の羽根部の付け根部の一方の端点と前記第二の羽根部の付け根部の他方の端点を結んだ直線に対して蛇行するように形成されていて、前記共通の切り込み線は、前記第一の羽根部の付け根部の一方の端点側で前記直線よりも第二の羽根部側に食い込むように突出する第一の山部を第一の羽根部に形成し、前記第二の羽根部の付け根部の他方の端点側で前記直線よりも第一の羽根部側に食い込むように突出する第二の山部を第二の羽根部に形成するように蛇行し、前記第一の山部は前記第二の羽根部の付け根部の折線よりも前記直線側に位置し、前記第二の山部は前記第一の羽根部の付け根部の折線より前記直線側に位置することを特徴とする衛生紙収納用箱。
【請求項６】
衛生紙の束を内部に収納し、この衛生紙を取り出すための取りだし口が設けられた箱であり、前記箱の一面には、折り線が互いに平行で且つ互いが向き合う第一の羽根部と第二の羽根部が切り込み線を形成することにより設けられ、前記切り込み線は、前記第一の羽根部の先端部から前記第二の羽根部の先端部まで結ぶ共通の切り込み線を含み、前記共通の切り込み線は、前記第一の羽根部の先端部と前記第二の羽根部の先端部を結んだ直線に対して蛇行するように形成されていて、前記共通の切り込み線は、前記第一の羽根部の先端部側で前記直線よりも第二の羽根部側に食い込むように突出する第一の山部を第一の羽根部に形成し、第二の羽根部の先端部側で前記直線よりも第一の羽根部側に食い込むように突出する第二の山部を第二の羽根部に形成するように蛇行し、前記第一の山部は前記第二の羽根部の付け根部の折線よりも前記直線側に位置し、前記第二の山部は前記第一の羽根部の付け根部の折線より前記直線側に位置することを特徴とする衛生紙収納用箱。
【請求項７】
請求項１、２、３、４、５または６に記載の箱において、前記共通の切り込み線でできる羽部の山部の、当該根元部からの距離が、当該羽部の根元部からの最長の長さに対しその比率が、約５５パーセントから約９５パーセントの間であることを特徴とする衛生紙収納用箱。
【請求項８】
請求項１、２、３、４、５、６または７に記載の箱において、前記２つの羽部は、共通の切り込み線の中間点を対称点とした、ほぼ点対称であることを特徴とする衛生紙収納用箱。
【請求項９】
請求項１、２、３、４、５、６、７または８に記載の箱において、前記共通の切り込み線で造られる、互いの羽部の山部はそれぞれ１つであることを特徴とする衛生紙収納用箱。
【請求項１０】
請求項１、２、３、４、５、６、７、８または９に記載の箱において、前記共通の切り込み線のみで造られる、互いの羽部の山部はそれぞれ１つであることを特徴とする衛生紙収納用箱。
【請求項１１】
請求項１、２、３、４、５、６、７、８、９または１０に記載の箱において前記二つの羽部の根元部同士の距離は約２５ミリメートルから約６０ミリメートル以下であり、前記二つの羽部で作られる開口部の、箱の長辺方向に沿った長さに対する、内包された衛生紙の長辺方向の長さに対する比率が、約７０パーセントから約９０パーセント以下であることを特徴とする衛生紙収納用箱。
【請求項１２】
請求項１，２，３，４、５、６、７、８、９、１０または１１に記載の箱において、当該箱の前記取出口の中心を回転軸として、当該箱の前記取出口の両端の二つの羽部が、羽部の先端同士の距離が広がる方向へ、当該箱の前記取出口が回ｇｈ転することで、前記取出口の長手方向が当該箱の長辺方向に対し斜めに設置されていることを特徴とする衛生紙収納用箱。
【請求項１３】
請求項１，２，３，４、５、６、７、８、９、１０、１１または１２に記載の箱において、当該箱の前記取出口の中心を回転軸として、当該箱の前記取出口の両端の二つの羽部が、羽部の共通する切りこみ線の両端部同士の箱の短辺に沿った距離が広がる方向へ、当該箱の前記取出口が回転することで、前記取出口の長手方向が当該箱の長辺方向に対し斜めに設置されていることを特徴とする衛生紙収納用箱。
【請求項１４】
請求項１．２．３．４、５、６、７、８、９、１０、１１、１２または１３に記載の箱において前記共通の切れ目線上の谷部から、前記谷部を有する羽部の付け根部まで、あるいは、前記共通の切れ目線上の山部から相対する羽部の付け根部まで、切り込み線を入れたことを特徴とする衛生紙収納用箱。
【請求項１５】
開口部を介して取り出される衛生紙が重ねられることにより構成され、かつ重ねられる前記衛生紙に応じた所定の厚みを有する束を内部に収納する箱部と、当該箱部の上面には、二つの部分が箱の短辺方向に沿って反対方向に切り開かれることにより、衛生紙を取り出すことができる取出口を、前記二つの部分が連結して、一つ形成する、二つの羽部を備え、且つ、一つの羽部の付け根部の端点と端点を結ぶ切れ目が、二つの羽部の共通の切れ目として結ばれていることを特徴とする衛生紙収納用箱。
【請求項１６】
請求項１５に記載の箱において、前記共通の切れ目から羽部の付け根部まで、切り込み線を入れたことを特徴とする衛生紙収納用箱。
【請求項１７】
請求項１５または１６に記載の箱において、当該箱の前記取出口は、その長手方向が当該箱の長辺方向に対し、斜めに設置されていることを特徴とする衛生紙収納用箱。
【請求項１８】
請求項１．２．３．４、５、６、７、８，９，１０、１１、１２、１３、１３、１４、１５、１６または１７に記載の箱において、前記付け根部には、略直線状の折目用線が設けられていることを特徴とする衛生紙収納用箱。
【請求項１９】
開口部を介して取り出される衛生紙が重ねられることにより構成され、かつ重ねられる前記衛生紙に応じた所定の厚みを有する束を内部に収納する箱部において、取り出し口を構成する前記羽部の端部から根元まで切り込み線を入れたことを特徴とする衛生紙収納用箱。
【請求項２０】
開口部を介して取り出される衛生紙が重ねられることにより構成され、かつ重ねられる前記衛生紙に応じた所定の厚みを有する束を内部に収納する箱部において、取り出し口を構成する前記羽部の端部が波線形状であり、且つ、前記波線形状の谷部から当該羽部の根元まで切り込み線を入れたことを特徴とする衛生紙収納用箱。
【請求項２１】
請求項２、３、４、５または６に記載の箱において当該羽根部の周縁部より、当該羽根部の付け根部の折線部まで切り込み線が入れられていることを特徴とする衛生紙収納用箱。
【請求項２２】
請求項２、３、４、５，６，または２１において、第一の羽根部と第二の羽根部の先端部同士の箱の短辺に沿った距離が広がる方向へ、取出口全体が回転し前記取出口の長手方向が当該箱の長辺方向に対し斜めに設置されていることを特徴とする衛生紙収納用箱。
【請求項２３】
請求項１、２、３、４、５、６、７、８、９、１０、１１、１２、１３、１４、１５，１６，１７，１８，１９，２０、２１または２２に記載の箱において、羽根部の付け根部の一部あるいは当該付け根部の折線の一部が切り込み線で構成されていることを特徴とする衛生紙収納用箱。
【請求項２４】
請求項１、２、３、４、５、６、７、８、９、１０、１１、１２、１３、１４、１５，１６，１７，１８，１９，２０，２１、２２または２３に記載の箱において、当該共通の切り込み線上から当該羽根部の根元部の折線部まで入れられた切り込み線の終端部が湾曲し、あるいは当該切り込み線の終端部が他の切り込み線に接していること、あるいは請求項１７において当該付け根部の折線と接する側の当該切り込み線の端部が湾曲し、あるいは他の切り込み線に接していることを特徴とする衛生紙収納用箱。
【発明の詳細な説明】
【技術分野】
【０００１】
本発明は、衛生紙の収納容器に関する。
【背景技術】
【０００２】
衛生紙の収納容器は、収納容器の取り出し口と、出てくる衛生紙が接触することで円滑な取り出しに必要な、適度な摩擦が生み出される構造になっている。前記生み出された摩擦は、箱の中から出てきた、クの字上に連続する衛生紙の先端にある衛生紙を１枚だけ切り離す力として働き、また衛生紙収納箱の上面に残された連続する衛生紙の最上方の１枚を箱の上面に支持、また保持させる力となり、さらに衛生紙を箱の中に落下させたり、箱の上面に落下させたりすることがないための力を生み出している。
実用新案文献１にはフイルムレスで羽部に波線を使用したものが開示されている。
また特許文献２には、いわゆる開口部を切り取る形で、かつ開口部を斜めに配置したものが開示されている。
また、特許文献３には、取り出し口に開口部に2枚羽をつかい衛生紙の取り出し性能を改善したティッシュボックスが開示されている。
【特許文献１】実案３０７１５０２号公報
【特許文献２】特開２００５−２２５５６３号公報
【特許文献３】特許２００６−３８５３７６号公報
【発明の開示】
【発明が解決しようとする課題】
【０００３】
本発明の課題は、衛生紙を収納するフイルムレスの収納箱であって、大きなごみが入りにくく、衛生紙の取り出し感が滑らかであり、さらに上面に保持された衛生紙が落下することなく、しかも衛生紙が前記箱の上面で、引き離される際、滑らかに引き離される、衛生紙の収納箱を開発し、提供することである。
【課題を解決するための手段】
【０００４】
本発明の課題を解決するために
開口部を介して取り出される衛生紙が重ねられることにより構成され、かつ重ねられる前記衛生紙に応じた所定の厚みを有する束を内部に収納する箱部と、当該箱部の上面には、二つの部分が、箱の短辺に沿って反対方向に切り開かれることにより、衛生紙を取り出すことができる取出口を連結して形成する、二つの羽部を備え、且つ、前記二つの羽部の付け根部は、当該箱部の長辺に対し略平行で、また長辺に沿って互いに重なる部分をもち、且つ、相対する羽部に属する付け根部の端点からはじまり、前記重なる部分に属する当該羽部の付け根部の端点までつながる共通の切り込み線が設けられ、且つ、前記共通の切り込み線は、谷部を形成するように湾曲したあと、続いて山部を形成するように湾曲し、さらに続いて谷部を形成するように湾曲していることを特徴とする衛生紙収納用箱が望ましい。
開口部を介して取り出される衛生紙が重ねられることにより構成され、かつ重ねられる前記衛生紙に応じた所定の厚みを有する束を内部に収納する箱部と、当該箱部の上面には、二つの部分が、箱の短辺に沿って反対方向に切り開かれることにより、衛生紙を取り出すことができる取出口を連結して形成する、二つの羽部を備え、且つ、前記二つの羽部の付け根部は、当該箱部の長辺に対し略平行で、また長辺に沿って互いに重なる部分をもち、且つ、前記重なる部分に属しまた相対する羽部に属する付け根部の端点からはじまり、前記重なる部分に属する当該羽部の付け根部の端点までつながる共通の切り込み線が設けられ、且つ、前記共通の切り込み線は、前記重なる部分に属しまた相対する羽部に属する付け根部の端点側で、自身の両端部を結んだ直線と当該羽根部の付け根部との間に谷部を形成するように湾曲したあと、前記重なる部分に属する当該羽部の付け根部の端点側で、相対する羽根部の付け根部と前記直線との間に、続いて山部を形成するように湾曲し、さらに続いて谷部を形成するように湾曲していることを特徴とする衛生紙収納用箱が望ましい。
開口部を介して取り出される衛生紙が重ねられることにより構成され、かつ重ねられる前記衛生紙に応じた所定の厚みを有する束を内部に収納する箱部と、当該箱部の上面には、二つの部分が、箱の短辺に沿って反対方向に切り開かれることにより、衛生紙を取り出すことができる取出口を連結して形成する、二つの羽部を備え、且つ、前記二つの羽部の付け根部は、当該箱部の長辺に対し略平行で、また長辺に沿って互いに重なる部分をもち、且つ、相対する羽部に属する付け根部の一方の端点からはじまり、当該羽部の付け根部の他方の端点までつながる共通の切り込み線が設けられ、且つ、前記共通の切り込み線は、相対する羽部に属する付け根部の一方の端点側で、自身の両端部を結んだ直線と当該羽根部の付け根部との間に谷部を形成するように湾曲したあと、当該羽部の付け根部の他方の端点側で、相対する羽根部の付け根部と前記直線との間に、続いて山部を形成するように湾曲し、さらに続いて谷部を形成するように湾曲していることを特徴とする衛生紙収納用箱が望ましい。
開口部を介して取り出される衛生紙が重ねられることにより構成され、かつ重ねられる前記衛生紙に応じた所定の厚みを有する束を内部に収納する箱部と、当該箱部の上面には、二つの部分が、箱の短辺に沿って反対方向に切り開かれることにより、衛生紙を取り出すことができる取出口を連結して形成する、二つの羽部を備え、且つ、前記二つの羽部の付け根部は、当該箱部の長辺に対し略平行で、また長辺に沿って互いに重なる部分をもち、且つ、相対する羽部に属する付け根部の一方の端点からはじまり、当該羽部の付け根部の他方の端点までつながる共通の切り込み線が設けられ、且つ、前記一方の端点あるいは他方の端点のいずれかが、二つの羽部の付け根部の前記長辺に沿った部分の中の互いに重なる部分には含まれず、且つ、前記共通の切り込み線は、相対する羽部に属する付け根部の一方の端点側で、自身の両端部を結んだ直線と当該羽根部の付け根部との間に谷部を形成するように湾曲したあと、当該羽部の付け根部の他方の端点側で、相対する羽根部の付け根部と前記直線との間に、続いて山部を形成するように湾曲し、さらに続いて谷部を形成するように湾曲していることを特徴とする衛生紙収納用箱が望ましい。
衛生紙の束を内部に収納し、この衛生紙を取り出すための取りだし口が設けられた箱であり、前記箱の一面には、折り線が互いに平行でまた箱の長辺に沿って互いに重なる部分をもち、且つ互いが向き合う第一の羽根部と第二の羽根部が切り込み線を形成することにより設けられ、前記切り込み線は、前記第一の羽根部の先端部から前記第二の羽根部の先端部まで結ぶ共通の切り込み線を含み、前記共通の切り込み線は、前記第一の羽根部の先端部と前記第二の羽根部の先端部を結んだ直線に対して蛇行するように形成されていて、前記共通の切り込み線は、前記第一の羽根部の先端部側で前記直線よりも第二の羽根部側に食い込むように突出する第一の山部を第一の羽根部に形成し、第二の羽根部の先端部側で前記直線よりも第一の羽根部側に食い込むように突出する第二の山部を第二の羽根部に形成するように蛇行し、前記第一の山部は前記第二の羽根部の付け根部の折線よりも前記直線側に位置し、前記第二の山部は前記第一の羽根部の付け根部の折線より前記直線側に位置することを特徴とする衛生紙収納用箱が望ましい。
衛生紙の束を内部に収納し、この衛生紙を取り出すための取りだし口が設けられた箱であり、前記箱の一面には、折り線が互いに平行で且つ互いが向き合う第一の羽根部と第二の羽根部が切り込み線を形成することにより設けられ、前記切り込み線は、前記第一の羽根部の付け根部の一方の端点から前記第二の羽根部の付け根部の他方の端点まで結ぶ共通の切り込み線を含み、前記共通の切り込み線は、前記第一の羽根部の付け根部の一方の端点と前記第二の羽根部の付け根部の他方の端点を結んだ直線に対して蛇行するように形成されていて、前記共通の切り込み線は、前記第一の羽根部の付け根部の一方の端点側で前記直線よりも第二の羽根部側に食い込むように突出する第一の山部を第一の羽根部に形成し、前記第二の羽根部の付け根部の他方の端点側で前記直線よりも第一の羽根部側に食い込むように突出する第二の山部を第二の羽根部に形成するように蛇行し、前記第一の山部は前記第二の羽根部の付け根部の折線よりも前記直線側に位置し、前記第二の山部は前記第一の羽根部の付け根部の折線より前記直線側に位置することを特徴とする衛生紙収納用箱が望ましい。
衛生紙の束を内部に収納し、この衛生紙を取り出すための取りだし口が設けられた箱であり、前記箱の一面には、折り線が互いに平行で且つ互いが向き合う第一の羽根部と第二の羽根部が切り込み線を形成することにより設けられ、前記切り込み線は、前記第一の羽根部の先端部から前記第二の羽根部の先端部まで結ぶ共通の切り込み線を含み、前記共通の切り込み線は、前記第一の羽根部の先端部と前記第二の羽根部の先端部を結んだ直線に対して蛇行するように形成されていて、前記共通の切り込み線は、前記第一の羽根部の先端部側で前記直線よりも第二の羽根部側に食い込むように突出する第一の山部を第一の羽根部に形成し、第二の羽根部の先端部側で前記直線よりも第一の羽根部側に食い込むように突出する第二の山部を第二の羽根部に形成するように蛇行し、前記第一の山部は前記第二の羽根部の付け根部の折線よりも前記直線側に位置し、前記第二の山部は前記第一の羽根部の付け根部の折線より前記直線側に位置することを特徴とする衛生紙収納用箱が望ましい。
特許請求の範囲に記載した請求項１、２、３、４、５または６に記載の箱において、前記共通の切り込み線でできる羽部の山部の、当該根元部からの距離が、当該羽部の根元部からの最長の長さに対しその比率が、約５５パーセントから約９５パーセントの間であることを特徴とする衛生紙収納用箱が望ましい。
特許請求の範囲に記載した請求項１、２、３、４、５、６または７に記載の箱において、前記２つの羽部は、共通の切り込み線の中間点を対称点とした、ほぼ点対称であることを特徴とする衛生紙収納用箱が望ましい。
特許請求の範囲に記載した請求項１、２、３、４、５、６、７または８に記載の箱において、前記共通の切り込み線で造られる、互いの羽部の山部はそれぞれ１つであることを特徴とする衛生紙収納用箱が望ましい。前記「共通の切りこみ線で造られる」という意味は「共通の切りこみ線のみで造られる」という意味である。
特許請求の範囲に記載した請求項１、２、３、４、５、６、７、８または９に記載の箱において、前記共通の切り込み線のみで造られる、互いの羽部の山部はそれぞれ１つであることを特徴とする衛生紙収納用箱が望ましい。
特許請求の範囲に記載した請求項１、２、３、４、５、６、７、８、９または１０に記載の箱において前記二つの羽部の根元部同士の距離は約２５ミリメートルから約６０ミリメートル以下であり、前記二つの羽部で作られる開口部の、箱の長辺方向に沿った長さに対する、内包された衛生紙の長辺方向の長さに対する比率が、約７０パーセントから約９０パーセント以下であることを特徴とする衛生紙収納用箱が望ましい。
特許請求の範囲に記載した請求項１，２，３，４、５、６、７、８、９、１０または１１に記載の箱において、当該箱の前記取出口の中心を回転軸として、当該箱の前記取出口の両端の二つの羽部が、羽部の先端同士の距離が広がる方向へ、当該箱の前記取出口が回転することで、前記取出口の長手方向が当該箱の長辺方向に対し斜めに設置されていることを特徴とする衛生紙収納用箱が望ましい。
特許請求の範囲に記載した請求項１，２，３，４、５、６、７、８、９、１０、１１または１２に記載の箱において、当該箱の前記取出口の中心を回転軸として、当該箱の前記取出口の両端の二つの羽部が、羽部の共通する切りこみ線の両端部同士の箱の短辺に沿った距離が広がる方向へ、当該箱の前記取出口が回転することで、前記取出口の長手方向が当該箱の長辺方向に対し斜めに設置されていることを特徴とする衛生紙収納用箱が望ましい。
特許請求の範囲に記載した請求項１．２．３．４、５、６、７、８、９、１０、１１、１２または１３に記載の箱において、前記共通の切れ目線上の谷部から、前記谷部を有する羽部の付け根部まで、あるいは、前記共通の切れ目線上の山部から相対する羽部の付け根部まで、切り込み線を入れたことを特徴とする衛生紙収納用箱が望ましい。
開口部を介して取り出される衛生紙が重ねられることにより構成され、かつ重ねられる前記衛生紙に応じた所定の厚みを有する束を内部に収納する箱部と、当該箱部の上面には、二つの部分が箱の短辺方向に沿って反対方向に切り開かれることにより、衛生紙を取り出すことができる取出口を、前記二つの部分が連結して、一つ形成する、二つの羽部を備え、且つ、一つの羽部の付け根部の端点と端点を結ぶ切れ目が、二つの羽部の共通の切れ目として結ばれていることを特徴とする衛生紙収納用箱が望ましい。
特許請求の範囲に記載した請求項１５に記載の箱において、前記共通の切れ目から羽部の付け根部まで、切り込み線を入れたことを特徴とする衛生紙収納用箱が望ましい。
特許請求の範囲に記載した請求項１５または１６に記載の箱において、当該箱の前記取出口は、その長手方向が当該箱の長辺方向に対し、斜めに設置されていることを特徴とする衛生紙収納用箱が望ましい。
特許請求の範囲に記載した請求項１．２．３．４、５、６、７、８，９，１０、１１、１２、１３、１３、１４、１５、１６または１７に記載の箱において、前記付け根部には、略直線状の折目用線が設けられていることを特徴とする衛生紙収納用箱が望ましい。
開口部を介して取り出される衛生紙が重ねられることにより構成され、かつ重ねられる前記衛生紙に応じた所定の厚みを有する束を内部に収納する箱部において、取り出し口を構成する前記羽部の端部から根元まで切り込み線を入れたことを特徴とする衛生紙収納用箱が望ましい。
開口部を介して取り出される衛生紙が重ねられることにより構成され、かつ重ねられる前記衛生紙に応じた所定の厚みを有する束を内部に収納する箱部において、取り出し口を構成する前記羽部の端部が波線形状であり、且つ、前記波線形状の谷部から当該羽部の根元まで切り込み線を入れたことを特徴とする衛生紙収納用箱が望ましい。
特許請求の範囲に記載した請求項２、３、４、５または６に記載の箱において当該羽根部の周縁部より、当該羽根部の付け根部の折線部まで切り込み線が入れられていることを特徴とする衛生紙収納用箱が望ましい。
特許請求の範囲に記載した請求項２、３、４、５，６，または２１において、第一の羽根部と第二の羽根部の先端部同士の箱の短辺に沿った距離が広がる方向へ、取出口全体が回転し前記取出口の長手方向が当該箱の長辺方向に対し斜めに設置されていることを特徴とする衛生紙収納用箱が望ましい。
特許請求の範囲に記載した請求項１、２、３、４、５、６、７、８、９、１０、１１、１２、１３、１４、１５，１６，１７，１８，１９，２０、２１または２２に記載の箱において、羽根部の付け根部の一部あるいは当該付け根部の折線の一部が切り込み線で構成されていることを特徴とする衛生紙収納用箱が望ましい。
特許請求の範囲に記載した請求項１、２、３、４、５、６、７、８、９、１０、１１、１２、１３、１４、１５，１６，１７，１８，１９，２０，２１、２２または２３に記載の箱において、当該共通の切り込み線上から当該羽根部の根元部の折線部まで入れられた切り込み線の終端部が湾曲し、あるいは当該切り込み線の終端部が他の切り込み線に接していること、あるいは請求項１７において当該付け根部の折線と接する側の当該切り込み線の端部が湾曲し、あるいは他の切り込み線に接していることを特徴とする衛生紙収納用箱が望ましい。
【０００５】
衛生紙を収納する箱は、大きくわけて２つある。１つは、衛生紙の取り出し口に、フイルムの中央に切り込み線が入れられたものを箱の取り出し口に貼ったものであり、また２つ目は取り出し口に前記フイルムが貼られていないものである。
【０００６】
取り出し口にフイルムが貼られている収納容器の場合、衛生紙と接触する取り出し口の部分は、弾力性のあるソフトなフイルムで構成されている。前記フイルムの中央には細長いカット線が施してあり、衛生紙はそのカット線を通して収納箱の中から取り出される。前記収納箱の場合、細長いカット線の取り出し口以外は密封される構造になっているので、外からごみも入りにくく優れた構造となっている。
【０００７】
しかし、フイルムが貼られた箱は、リサイクルのとき、フイルムをはがさなければならないので、消費者に手間を強いることになる。しかも、省資源やエコが叫ばれる現在、いくら取り出し時のスムーズ感やごみの入りにくい収納箱でも、省資源に逆行する前記収納箱は敬遠され、フイルムを貼っていない箱でスムーズな取り出し効果の収納箱が求められる。
【発明の効果】
【０００８】
前記フイルムをはっていずに、フイルムを貼った箱に負けないスムーズな取り出し効果をもった衛生紙収納箱が開発されると、エコが求められている社会状況において、普及することは間違いないと考える。
【発明を実施するための最良の形態】
【０００９】
従来のフイルムレスの技術を検証しよう。［特許文献１］の場合、収納箱の上面に作られた、開口部の羽部の長さは、［特許文献３］の羽部にくらべて、羽部の根元部から羽部の端部までの長さが半分ほどになる。よって羽部によるクッション効果と衛生紙に摩擦を加える力は弱くなり、シート状の平面的衛生紙を立体構造に変形させる力は弱いと考える。
【００１０】
［特許文献２］の場合、取り出し口が、切り取ったままの、まさに穴であり、その端面は弾力性がないので、条件が悪い。後述するが、［特許文献１］や［特許文献３］等で利用されている、羽部のクッションを利用していないので基本的発想で劣るといえる。
【００１１】
さて、フイルムレスの収納箱の場合の構造を精査する。その取り出し口の構造は、収納箱の上面または側面の一部を切りとった、まさに穴であるか、収納箱の一部の部分の３辺に切り込みをいれ、切込みを入れていない１辺を羽部の回転軸とした開閉可能な羽状の開口部のいずれかである。
【００１２】
衛生紙の収納箱は一般にダンボール等でできている。よって、開口部の衛生紙と接触する部分は、フイルムにくらべて弾力性が少ない。また、開封時に力を加えて、あけるので、その力で変形することも少なくない。よって、羽部の構造を利用し、その羽部のもつ、弾力機能をつかった取り出し口が便利ではあるが、その計算も、金属を用いた、構造計算とは正確さで劣ってくる。しかし、基本的構造の優劣はそれなりにつけられる。
【００１３】
前記特許文献３の場合を考える。この特許文献では取り出し口が、２つの羽部のある開口部で構成されている。このような羽上の開封穴を利用した取り出し口の場合でも、開口部と外に出てくる衛生紙との接触部は、動かない固形の縁と、動く羽部の縁の二通りある。
【００１４】
この２つの縁について論じる。その中で、収納箱の、動かない固形部分の縁は、前記開封穴とほとんど同じである。よってこの部分を使った取り出し効果ではスムーズな取り出し効果は期待できないといえる。この縁に加わる摩擦が非常に強い場合、消費者は、取り出し時、不快な抵抗感と不快な摩擦音を感じる。よって、収納箱の中央部分にあまりにも近く羽部のある、また前記羽部の開閉方向が収納箱の短辺方向のむきに開閉する羽部を用いた開口部を設けると摩擦が強すぎ、よくない。
【００１５】
さて、前記羽部の端部を利用した取り出し口を考える。この場合、開閉可能な動く羽部の縁は箱の下方向からの衛生紙の動きと力に対し、羽部の縁でその衛生紙を受け止めて、抵抗を受けると、いち早く前記羽部の折り線を軸に、箱の外方向にモーメントにより回転
する。この抵抗を受けて羽部の端部が動くことで、受けた力をソフトに受け流し、軽減する。つまり、大きな力を羽部の弾力性で吸収するので、弾力性のあるフイルムと同じ機能をはたす。また、前記外側方向に動いた羽部は、自重により再度はこの箱の内側方向に下がるので、次に衛生紙から力を受けると、この羽部が、弾力性のある、繰り返しクッションの役割を果たす。
【００１６】
上記説明により、フイルムレスの収納箱の場合は、羽部の端部の、このクッションの原理を利用した構造が、取り出し効果はソフトで、フイルムを利用した取り出し効果に近く、優れているといえる。私の発明した構造の図１をみてほしい。
【００１７】
図１には、取り出し口が２つの羽部でできており、前記２つの羽部は互いに向かい合って、さらに根元部の折線は開口部の左右の長さに近く、長くなっている。またなおかつ、２つの羽部がそれぞれ、２つの山部をもつ羽部となっていて、しかも２つの羽部の山部は交互に相手の羽部の谷部にむかって押し合うように構成され、２つの羽部のあいだから出てきた衛生紙をその羽部の間に挟み込むようになっている。
【００１８】
［特許文献３］の場合、根元部の左右の長さは開口部の左右の長さの約半分になっている。またそれにあわせた、直線状の羽部の端部も同じ長さになっているので、書く羽部の山部が大きくなっている。よって衛生紙を取り出すときの大きな山部と、衛生紙がすれあう摩擦が強く、消費者は強い抵抗感と摩擦を感じる。また前記大きな山部に対する開口部も、箱の長辺方向に対し長く、大きなごみが入りやすい。
【００１９】
また、２枚の羽部に挟まれた衛生紙は開口部の中心で１方向にねじれてはいるが、衛生紙の両端部には力は加えられていないので、その部分から衛生紙は、箱の上面にくずれやすい。
【００２０】
一方、図１の場合は、相対する４つの山部が反対方向に交互に押し合っているので、衛生紙をしっかり、反対方向から押し合い、衛生紙がねじれて、回転して箱の上面にくずれおちることはない。
【００２１】
また、衛生紙が１枚とりだされるときのスムーズさについても論じると、図１の場合は、箱の上面より最も高く位置しているのは、取り出し口両端の山部である。またそれに続いて、その高さより低く、中ほどの２つの山部が位置している。よって、衛生紙が１枚だけ収納箱から取り出されていくとき、前記内側にある２つの山部の支持展が衛生紙と外側の支持点より先に離れ、次に前記外側にある山部の支持点がはなれるという、２段階の力の変化につながり、全部の高さが同じ設計より、よりソフトな衛生紙の取り出し効果を得られる。
【００２２】
図６、７によると、この設計では、羽部の谷部から、自身の羽部の根元部までスリットが入れられている。
【００２３】
一般に、スリットのない羽部で、かつ山部が２つある羽の場合は、理論上は衛生紙との接触点は山部のある２つであるが、前述したとおり、衛生紙の収納箱の素材は固形の素材ではあるが、人の力で、変形しやすいダンボール等の素材である。よって、前記同一の羽上の２つの山部も多少ゆがんでいる可能性もある。
【００２４】
よって２枚のうちの１枚の山部が向かい合う羽部の谷部としっかりホールドしたときでも、同じ回転軸上の残った山部は、同じようにホールドしていない可能性が高いといえる。
【００２５】
また、衛生紙の動きも、持ち上げる手のむき、力で、複雑に変形する。つまり、１つの回転軸である折軸に対し、羽部の端部に山部が２つある羽部は、２つの山部が共通の回転軸を中心に連動するため、最適な衛生紙をホールドをする山部は１箇所だけである。
【００２６】
残りの１箇所は前記他の山部と連動して、いわば同体として動かざるをえないので、最適なホールドができず、浮き上がることが考えられる。
【００２７】
一方、羽部の根元までスリットの入ったものは、前記羽部の２つの山部がそれぞれ独立した動きをすることが可能となり、支持部の圧力で無限の立体的構造に変化する衛生紙を前記２つの羽部の端部の山部は状況に合わせて、確実にホールドすることが可能になる。
【００２８】
よって、前記スリットがないものに比べ、より安定した保持が実現する。このことは、車でたとえると、スリットのない羽部は、いわば、前輪駆動の自動車であり、スリットの入ったものは、４輪すべてにエンジンの駆動力がある、いわば４輪駆動自動車といえる。
【００２９】
図７によると、当該箱の前記取出口の両端の二つの羽部が、当該箱の前記取出口の中心を回転軸として、羽部の先端同士の距離が広がる方向へ、当該箱の前記取出口全体が回転することで、前記取出口の長手方向が当該箱の長辺方向に対し斜めに設置されている。
【００３０】
つまり、衛生紙を支える。両端部の羽部の支持点が、箱の短辺方向にみると広がっている。よって短辺方向に広い、幅の広い支持部で衛生紙を支えられることになり、そのぶん、箱の支持部の衛生紙を保持する力は強くなり、また安定するので平行のものより優れる。
【００３１】
もともと前記衛生紙は、収納容器の中では、２枚に折り重ねられた平面的なシート紙である。シート紙のまま箱の上面に立てても、そのままでは立たない。
【００３２】
平面的な衛生紙が、収納箱の取り出し口との摩擦により、複雑に形状変化し、ジャングルジムのような、支えのある、立体的な形状に大きく変化し、その上で初めて収納箱の上方で安定して保持される。
【００３３】
そういう意味でも図１のような、箱の支持部が入りくんでいるものが優れているといえる。
【００３４】
図８をみてほしい。この設計は、２つの羽部が向かい合い、２つの山部が向かい合う一つの山部と押し合っている。よって、２つの羽部は、確実に互いにホールドし、しっかりした支持部を造る。
【００３５】
また、図９に表されるように、この場合も羽部にスリットが入っている。よってスリットが入った場合は、より、柔軟なより、確実な衛生紙の保持が可能となる。
【００３６】
また、図１０をみてほしい。この場合、取り出し口が斜めに配置されている。よって、互いの羽部の支持点が箱の短辺方向にそって広く配置されるので、斜めに配置されたほうが、衛生紙の保持力はたかまることになる。
【００３７】
今まで説明した図１から図１０までの説明を改めてする。説明の中で蓋部と羽部は同じ意味である。
【００３８】
図１は、特に請求項１、２、３、４、５、６、７、８、９、１０、１１、１８にかかわる、実施形態のティッシュボックスの概略的な斜視図である。衛生紙収納用箱の長辺短辺高さが、Ａ、Ｂ，Ｃで記されている。蓋部３１等が開口し、その中から衛生紙２が出てきている。
【００３９】
図２は、図１の上面図であり、また取り出し口が開口していない図である。Ａは箱の長辺であり、Ｂは箱の短辺である。Ｄは取り出し口の箱の短辺に沿った幅であり、Ｅが取り出し口の幅である。Ｆは蓋部３２および３１の付け根部の折線である。３４は蓋部３２の単独の切り込み線であり、３５も蓋部３１の単独の切り込み線である。蓋部３１と３２の共通の切り込み線が前記二つの単独の切り込みの間にあって、両者をつなげている。
【００４０】
図３は、開口部が開封された、図１の正面図である。衛生紙は描かれていない。蓋部３１と３２が開口した様子が描かれている。
【００４１】
図４は、開口部が開封された、図１の左側面図である。また図３の端側面側よりみた図である。衛生紙は描かれていない。蓋ぶ３１と３２がそれぞれの付け根部を軸に角度もって上に開かれている様子が描かれている。蓋部３１と３２の付け根部の幅がＤとして描かれている。
【００４２】
図５は、開口部が開封された、図１の上面図で、９０度左側に回転したものである。蓋部３１と３２が開口し、前記二つの蓋部の共通する切り込み線５８と５９が開き、別れその間に衛生紙の出てくる空間が描かれている。
【００４３】
図６は、図２に加えて、蓋部３１と３２に共通する切りこみ線上から各蓋部の付け根部に向かって短い切り込み線（羽部スリット線）３８と３９が描かれている。この切りこみ線で、各蓋部がそれぞれさらに２つに分かれて、合計４枚の蓋部で構成される取り出し口になった。
【００４４】
図７は、図６の変形であり、取り出し口全体が回転している。その回転方向は、取出し口の共通する切りこみ線の両端部が取り出し口が箱の短辺に沿ってその間の距離が広がる方向に規定される。
【００４５】
図８は、蓋部４１と４２により構成されている。一見、図１に代表されるものと異なるようであるが、相対する蓋部である羽根部の互いの山部で互いに押し合っているという原理はまったく同じである。つまり、図２における蓋部の一部分と理解される。
【００４６】
図９は、図８に加えて、蓋部４１と４２に共通する切りこみ線上から各蓋部の付け根部に向かって短い切り込み線（羽部スリット線）４８と４９が描かれている。この切りこみ線で、各蓋部がそれぞれさらに２つに分かれて、合計４枚の蓋部で構成される取り出し口になった。
【００４７】
図１０は、図９の変形であり、取り出し口全体が回転している。その回転方向は、取出し口の共通する切りこみ線の両端部が取り出し口が箱の短辺に沿ってその間の距離が広がる方向に規定される。しかし、図１０の場合、前記取り出し口の共通する切り込み線の両端部の箱の短辺に沿った位置が同じであるので、回転する方向は、右回りでも左回りでも結局は差がなくなり、同じになる。
【００４８】
さて、前述した内容説明において、「図１」は、図１の関連図である「図２」、「図３」、「図４」、「図５」を総称する図であり、「図１によると」とは、同時に「図１あるいは図２あるいは図３あるいは図４あるいは図５によると」という意味である。      
【００４９】
本特許願における文章の中の「羽根部の根元」と「羽根部の付け根」は同義語とする。
【００５０】
本特許願における文章の中の「羽根」と「羽」は同義語とする。
【００５１】
本特許願における文章の中の「羽根部の先端」あるいは「羽根部の先端部」とは、羽根部の付け根部の端部の中で、前記羽根部が
向かい合う羽根部と共有する切り込み線と接する側の端部のことをいうこととする。
【００５２】
さて、これから前述の発明より優れた更なる発明の発展技術を紹介しよう。
【００５３】
図１１−１は、取り出し口の羽根部の付け根部の一部に切り込み線が入れられている図である。共通する切り込み線は太く強調表示されている。一方、単独の切り込み線は細く表示されている。羽根部の付け根部に入れられた切り込み線は太く強調表示されている。羽根部付け根部の折線は点線表示されている。
【００５４】
図１１−２は、取り出し口の羽根部の付け根部の一部に切り込み線が入れられている図である。共通する切り込み線は太く強調表示されている。一方、単独の切り込み線は細く表示されている。羽根部の付け根部に入れられた切り込み線は太く強調表示されている。羽根部付け根部の折線は点線表示されている。
【００５５】
図１１−３は、取り出し口の羽根部の付け根部の一部に入れられた切り込み線の端部が釣り針状に丸く加工されたり、Ｔ字状になったり、Ｌ字状になったりした図である。この釣り針状の加工では、
共通する切り込み線は太く強調表示されている。一方、単独の切り込み線は細く表示されている。羽根部の付け根部に入れられた切り込み線は太く強調表示されている。羽根部付け根部の折線は点線表示されている。また共通する切り込み線から付け根部折線まで入れられた切り込み線の終端部も丸く釣り針状等に加工されたりしている。
【００５６】
図１１−４は、取り出し口の羽根部の付け根部の一部に入れられた切り込み線の端部が釣り針上に丸く加工されたり、Ｔ字状になったり、Ｌ字状になったりした図である。共通する切り込み線は太く強調表示されている。一方、単独の切り込み線は細く表示されている。羽根部の付け根部に入れられた切り込み線は太く強調表示されている。羽根部付け根部の折線は点線表示されている。また共通する切り込み線から付け根部折線まで入れられた切り込み線の終端部も丸く釣り針状等に加工されたりしている。
【００５７】
図１１−１および図１１−２に示されるように、第一の羽根部と、第二の羽根部の付け根部の折線上に１１−１−１、１１−１−２、１１−１−３、１１−１−４、１１−２−１、１１−２−２、１１−２−３，１１−２−４と４つの切り込み線が入れられている。
この切り込み線は羽根部の回転をソフトにするという効果がある。この切り込み線は、羽根部付け根部の両端と羽根部付け根部の中央寄りに入れられたものとがある。両端のものは羽根部付け根部の折線にそって折るとき折りやすくなるという効果もあわせ持つ。また、中央寄りに当該切りこみ線が入れられたものは羽根部の付け根部の両端に当該切りこみ線が入れられていないので、羽根部の回転軸が安定した上で羽根部の回転がソフトになるという効果を併せ持つ。
【００５８】
羽根部の開閉において、付け根部の折線の長さに応じて、羽根部の開閉する滑らかさが決まる。つまり、折線の長さが長い羽根部は、開閉の際、回転軸となる折線の長いなりの摩擦を受ける。つまり、羽根部において、回転軸となる、付け根部の折線が長い羽根部はその開閉に伴う摩擦が強いし、一方、短い羽根部はその開閉に伴う摩擦が少なくなる。
【００５９】
羽根部の付け根部の長さは、その取り出し口を構成する長さにより、必然的に規定される。よって、その付け根部の長さを意図的に長くしたり、また短くしたりすることはできない。
しかし、図１１や図１１−２のうように、羽根部の付け根部に意図的に切り込み線をいれることで、羽根部の開閉する摩擦をソフトにできるし、また、その切り込み線の長さを調節することで、その必要なソフトさも自由に調節できる。
【００６０】
また特に、１１−２−２をみてほしい。羽根部の付け根部の中央部に切り込み線が入れられている。この切り込み線は、中央部に切り込み線が入れられて、羽根部の折線が短くなっているので、羽根部の開閉がソフトになっているし、また羽根部の付け根部の両端部の位置は変わらないので、羽根部の回転の安定さは損なわれないので、他の切り込み線よりもさらに優れた切り込み線であり、より安定した羽根部の開閉ができる優れた構造である。
【００６１】
１１−２−３をみてほしい。羽根部の先細になった付け根部の両端の折線に切り込み線が入れられている。
この切り込み線は、前述した羽根部の開閉をソフトにする効果以外に、箱を開口する際、羽根部の付け根部、あるいは、羽根部の付け根部の折線部を折って開口するが、１１−２−３のように折線の端部が先細になっていると、折りにくいという状況が発生する。このとき、両端に切り込み線がいれられていると、開口する作業が非常に作業しやすいという効果が生まれる。
【００６２】
優れた構造である。いずれにしても、１１-２-１と１１-２-２共にその効果を切り込み線の長さや、設置する場所によって、その効果を調節できるので、大変優れた構造といえる。
図１１−３と図１１−４をみてほしい。前述した図１１−１と図１１−２の羽根部の付け根部に入れられた切り込み線の折線との接触部が釣り針状に丸く加工されたり、また他の切り込み線と接し、Ｔ字状やＬ字状になっている。
【００６３】
こうすることで、羽根部にいれられた、各種の切り込み線にそって開封するときに、勢いあまって切り込み線にそって、箱が切り込み線にない切り込み線の延長線上方向に裂開することを防止する効果が生まれる。
［発明にいたる流れの説明］
【００６４】
さて筆者は今までの発明を、フイルムレスの原点、つまり、箱の上面中央部分に小さく穴が開いている取出し口から今一度説明したいと思う。
【００６５】
図１２−１は、衛生紙収納用箱の上面図である。上面中央部に取り出し口１２−１１がある。
【００６６】
図１２−２は、一枚の衛生紙が二つに折られたものを折線に垂直に断裁したものの断裁面である。図左側部分が折線に相当する断面図である。
【００６７】
図１３は、図１２−１の中央取り出し口を箱の長辺に沿って広げたものである。１３−１が取り出し口である。
【００６８】
図１４は、中央の取り出し口を、破りとらない形式の、つまり箱の短辺に平行な方向に互いに逆方向に開く方式の２枚の羽根形式にしたものである。羽根部の付け根部の折線は点線で示されている。また二つの羽根部に共通する切り込み線は太線で強調表示されている。ＸＸは共通する切り込み線の箱の長辺に沿った長さである。ＤＤは前記共通する切り込み線の箱の短辺に沿った長さである。羽根部付け根部の折線が点線で示されている。
【００６９】
図１５は、図１４の共通する切り込み線を丸みを帯びるように加工したものである。特許文献３に例示されている実施例を図示したものである。
【００７０】
図１６は、図１４の取り出し口の共通する切り込み線をあえて取り出し口の両辺まで広げたものである。
【００７１】
図１７は、図１６の共通する切り込み線を丸みを帯びるように加工したものである。
【００７２】
図１８は、図１６に加えて、共通する切り込み線上に、向かって右から谷部と山部と谷部を加工し加えたものである。
共通する切り込み線近くに書かれている矢印ＷＷ１、ＴＴ１、ＵＵ１、ＶＶ１は、頂部ＷＷ、ＴＴ、ＵＵ、ＶＶが両端部を結ばれた共通する切り込み線ＺＺに沿った衛生紙を両方向から交錯するように押し合う力をあらわしてある。
【００７３】
図１８−１は、図１８に描かれた４つの矢印で示される共通する切り込み線上の４つの頂部の中の向かって左から三つの様子を、点線で示された楕円で囲ったものである。この三つの頂部の構造がそのまま発展して、図８に結びつく。図１８は結局図８の構造が連続して二つ組み合ったものと理解される。
【００７４】
図１８−２は、図１８に描かれた４つの矢印で示される共通する切り込み線上の４つの頂部の中の向かって右から三つの様子を、点線で示された楕円で囲ったものである。この三つの頂部の構造がそのまま発展して、図１８−１と同じように図８に結びつく。図１８は結局図８の構造が連続して二つ組み合ったものと理解される。
【００７５】
図１９は、図１８の共通する切り込み線上から各羽根部の付け根部の折線に向かって切り込み線が入れられ、その終端部が釣り針状に丸く加工されたり、他の切り込み線に接して、終端部がＴ字状態に見えたりしているものを図示してある。図１８のときは取り出し口は二枚の羽根部で構成されていたが、図１９では、ＭＭＭＭ、ＮＮＮＮ、ＯＯＯＯ、ＰＰＰＰの四枚の羽根部で構成されることになった。
【００７６】
図２０は、図１９に加えて羽根部付け根部の折り線上に切り込み線ＱＱ、ＴＴ、ＲＲ，ＳＳ等を入れたものである。
この切り込み線で羽根部の開閉はソフトになる。
【００７７】
図２１は、図１８の羽根部の単独の切り込み線を丸く加工したものである。単独の切り込み線とは、この場合取り出し口の箱の長辺に沿った両端部に位置する切り込み線のことである。
【００７８】
図２２は、図２１の取り出し口を羽根部の共通する切り込み線の両端部が箱の短辺に沿った距離が広がる方向に斜めに回転させたものである。
【００７９】
図２２−１は、図２２に加えて、共通する切り込み線上から各羽根部の付け根部の折線に向かって切り込み線ＪＪとＫＫが入れられている図である。
【００８０】
図２２−２は、図２１の羽根部の先端部の折り線上に切り込み線ＰＰとＱＱを加えた図である。
【００８１】
図２３は、図２２−２に羽根部に共通する切り込み線上から羽根部付け根部の折線まで切り込み線を入れた図である。
【００８２】
図２２−３は、図２３の取り出し口を羽根部の共通する切り込み線の両端部が箱の短辺に沿った距離が広がる方向に斜めに回転させたものである。
【００８３】
図２４は、特許文献１の基本構造の箱の上面を図示したものである。ＡＡは箱の長辺であり、ＢＢは箱の短辺である。ＣＣは二つの羽根部の取り出し口全体の箱の長辺に沿った主な幅であり、ＤＤは二つの羽根部の取り出し口全体の箱の短辺に沿った幅である。Ｘ５とＸ６は各羽根部の箱の短辺に沿った長さである。ＹＹは二つの羽根部の共通する切り込み線の箱の短辺に沿った幅である。ＹＹＹは共通する切り込み線の山部と山部の箱の長辺に沿った長さであり、いわゆるピッチである。ＹＹＹＹは共通する切り込み線の山部と谷部の箱の長辺に沿った長さである。
【００８４】
図２５は、図２１のほぼ左右対称の図である。このように、羽根部先端部の方向を変えても、前述した発明の内容は損なわれない。
【００８５】
図２６は、図２５において、共通する切り込み線の両端部が箱の短辺に沿った幅が広がる方向に、取り出し口全体を回転させ、斜めに配置したものである。この場合も発明の内容は損なわれない。
【００８６】
図２９は、図２６に二つの羽根部の共通する切り込み線上から各羽根部の付け根部の折線に向かって切り込み線を入れた図である。この場合も発明の内容は損なわれない。あえてここで申し上げると、図２５をはじめ、図２４までのすべての発明の内容において、左右対称にしたすべての図において今回の発明の内容は損なわれない。
【００８７】
図２７は、特許文献３の内容で、「丸みがつけられていれば如何なる形状であっても良く、例えば、一方の羽根部３ の付け根対向部３ ｃ が他方の羽根部３ の羽本体部３ ｂ に十分にえぐり込むようにして丸みがつけられたような形状であっても良い。」という内容の一例を図示したものである。共通する切り込み線が、箱の長手方向に交錯していることが特徴である。
【００８８】
図２８は、図２７の取り出し時の二つの羽根部の開閉状況において、その構造的弱点から、仕方なく羽根部の位置が偏って位置される場合の、箱の端側面からみた図である。
【００８９】
図３０は、特許文献３の構成を基本にその一部を連続して設置した場合の図である。ＰＰＰＰＰＰとＱＱＱＱＱＱが各羽根部付け根部の折線に接していることが特徴である。
【００９０】
図３１は、図１１−３と図１１−４に示された一部内容を取り出して拡大したものである。
【００９１】
図１２−１をみてほしい。
収納箱の上面部の中央近くに、箱の左右の辺からの距離が長く取られ、箱の中央部に小さく配置されたほぼ四角形の開口部１２−１１が設けられている。
【００９２】
衛生紙は、この開口部を通して箱の中から出てくる。衛生紙は箱の中では、箱の短辺に沿った方向にクの字に折られて、交互に向かい合い、互いの折られた上片をくわえあうことを繰り返し、連続して重ねられて収納されている。よって、箱の短辺と平行な方向に対する取出し口の幅が狭くても、最初の衛生紙を取り出すことができれば、次の衛生紙は、衛生紙の厚さの幅だけあれば次の衛生紙は問題なく出てくるが、箱の長辺に平行な方向に対する取り出し口の幅が狭い場合、衛生紙はスムーズには出てこず、衛生紙と取り出し口の短い幅の間で摩擦が生じ、衛生紙が箱の長辺に平行な方向に圧縮されて箱の外側に出てくる。
【００９３】
図１２−１の上記説明に示されるように、この部分的に圧縮されて、衛生紙自体に多数の折り目がつくことで、薄い平面的衛生紙は複雑な立体空間に変形する。図１２−２に示されるように、また前記折り目線自体が、圧縮されながら直線状に前記衛生紙のほぼ２倍の厚さになり、固く強化され、立体空間を支えるジャングルジムのような細く長い柱としての機能をはたすようになる。この折り目線自体が衛生紙を支える柱としての機能をはたすようになることは、たとえば、1枚のコピー用紙を２つに折ったり、くしゃくしゃに丸めたりすると、類似の現象が確認されることで理解されると思う。そして結局衛生紙は自身の力で箱の上面に問題なく保持される。
【００９４】
ただし、この摩擦が異常に必要以上に強すぎる場合、つまり前記取り出し口の、箱の長辺方向に対する幅が積み重ねられた平面状の衛生紙の同幅に対し極端に短い場合、衛生紙を取り出すとき、消費者は強い不快な抵抗感と、耳障りな強い摩擦音を感じる。
【００９５】
この摩擦に伴う不快感を少しでも軽減することが大切な課題であるが、摩擦を取りすぎて、衛生紙が箱の中に落下してはならない。一見相反する２つの課題の解決つまり、ソフトさと摩擦のバランスが大切である。
【００９６】
筆者は、この極度なこの不快感を軽減する第一歩として、常識を覆してまず取り出し口の箱の長辺方向の幅を図１２−１より広く、かつ衛生紙の幅より若干短くした。（図１３）
こうすることで、当然取り出し口Ｆ１からＦ２の間の辺と衛生紙との摩擦で生じる力はゼロではないが、弱くなる。つまり取り出し口１３−１と衛生紙の間で生まれる摩擦は弱くなり、かつそこから生まれる衛生紙の立体空間への形状変化は少なくなり、その結果当然衛生紙に対する箱の支持力、保持力は弱くなる。
つまり、いままでは、取り出し口の箱の長辺方向に対する幅を短くすることで摩擦力を生み出すことが保持力を生み出していたのに、その条件が弱くなったわけであるから、困ったものである。
【００９７】
ここで、もう少し図１３の取り出し口の形状について論じたい。またこのほぼ長四角形に切り取られた取り出し口の特徴として言えることは、この取り出し口では、箱の短辺に平行な方向に対する衛生紙の形状変化は、取り出される衛生紙が変形して取り出し口の周縁１３−２あるいは周縁１３−３に接触しないかぎり、衛生紙が立体形状に変化するための抵抗が生まれないということである。つまり、消費者が衛生紙を箱の中からとりだすとき、衛生紙には、最初から箱の短辺に平行な方向から抵抗が与えられているわけではないということである。
【００９８】
つまり、もし、衛生紙をつまみ出すとき、最初から衛生紙に抵抗を、有効なソフトな抵抗を与えられる取出し口があると仮定すると、その取り出し口より図１３の取り出し口１３−１は衛生紙の迅速な形状変化としての機能として劣ることになる。
【００９９】
筆者はこの弱点を克服するために、１案を思いついた。つまり筆者は、この衛生紙の取り出し口である開口部を切り込み構造で破りとる方式の従来の取り出し口から、破りとらない形式の、つまり箱の短辺に平行な方向に互いに逆方向に開く方式の２枚の羽根形式にした。（図１４）
【０１００】
前述したとおり、この類似の形式はすでに特許文献３により開示されている。（図１５）
すると、図１３と異なり、消費者が箱の中から衛生紙を取り出すとき、衛生紙は取り出しはじめる最初から常に羽根部の周縁部ＦＦ２およびＦＦ４と接し、箱の短辺方向に平行な方向からの抵抗を受けることになる。
【０１０１】
また、この形状では羽根部の周縁部ＦＦ２とＦＦ４は互いに向かいあう二つの羽根部の根元部の折り線の延長線上にある。よって、前記周縁部ＦＦ２とＦＦ４は箱の短辺に沿った方向ではＤＤの幅の広い二つの支持点で挟み込み、一枚の衛生紙に互いに反対方向の圧力を加え、衛生紙にねじれを生じさせ、支えることになる。ここでの特徴は羽根部の共通する切り込み線の箱の短辺にそった幅が羽根部の根元部から周縁部の最長の幅と同じ長さを持っているということである。
【０１０２】
つまり、図２４で示した特許文献１の構造とは大きく異なっている。特許文献１を図示すると、図２４になるが、その中の、ＹＹの部分が図２４の二つの羽根部の共通する切り込み線の箱の短辺に沿った長さになる。見るとわかるように、この幅が狭く、とてもこの部分で衛生紙を挟みこむことと、もし挟み込んだ場合の効果は特許文献３ほど大きくないといえる。
【０１０３】
また、取り出し口を構成する羽根部の周縁部の部位で、折線からの幅がもっとも長い、最大の幅であるＸ５およびＸ６の長さも、取り出し口を構成する二つの羽根部の折線と折線の幅ＤＤより短い。また、これは、特許文献３にもいえることであるが、合い向かい合う羽根部で作られえる共通する切り込み線の波状の山部と谷部の、箱の長辺に沿った幅であるＹＹＹＹが、短いので、前記共通する切り込み線で波線状の山部と隣り合う谷部の、箱の長辺方向にも、また短辺方向にも前記共通する切り込み線でしっかり、はさまれる衛生紙に、安定したねじれの効果を与えることは難しいと思う。
【０１０４】
さて、特許文献３では、折線ＦＦ１と衛生紙との接触点との羽根部の腕の長さ、つまりＦＦＦ１およびＦＦＦ３の長さが特許文献１より長いので、よりソフトな安定した羽根部となっている。前述したが、当該衛生紙に対し、図１５でみると、向かって左回りに回転するねじれを加える構造になっている。つまり、この箱から出てくる衛生紙はすべて向かって左にねじれながらでてくるので、ねじれている分だけそのねじれに対する衛生紙自体の反発力で衛生紙は箱の中に落ちにくい。つまり、箱の上面に保持される力が増すことになる。
【０１０５】
また、前述したが、もちろんこのねじれは、取り出し口を切り取っただけの。固定された取り出し口の周縁部から生まれる抵抗と異なり、いわば緩衝作用のある羽根部の回転モーメントを利用したソフトな抵抗であるので、消費者は不快な抵抗感や、不快な摩擦音を強く感じにくい。
【０１０６】
しかし、この構造は、もっと改良する余地が多く残されている。理由を述べる。
特許文献３を精読すると分かるが、例えば図３の場合は２枚の羽根部の共通する切り込み線部分の箱の長辺方向に対する長さＸＸが短いという特徴がある。というのは、特許文献３の説明では、具体的に図示もされているが、「家庭用薄葉紙収納箱の長手方向に並んだ該上面の二つの部分」とあり、前記二つの部分は箱の長手方向に並んでいる。よって長手方向に並んでいない部分、つまり重なった部分でありまた共通する切り込み線の部分は、家庭用薄葉紙収納箱の長手方向に長くはないということが前提に感じられる。
決して「短手方向に並んだ」とは書かれていない。
これは、特許文献１との差別化を図るために、条件をつけて特許取得されたものと思う。また特許文献３の図にもある羽根部周縁部にＦＦ２とＦＦ４という直線状の周縁部があるので、その長さの分だけでも、ＸＸの箱の長辺に沿った長さは短いといえる。
【０１０７】
結局、前記特徴からすると、筆者はその取り出し性能に大きな限界を感じる。理由は図１５の場合は、箱の中から衛生紙が取り出されるとき、その共通する切り込み線の箱の長辺に平行な方向への幅が短いという構造的特徴から、衛生紙が取り出されるとき、共通する切り込み線の箱の短辺に沿った傾斜角度大きくならざるを得ず、２枚の羽根部の周縁部ＦＦ２およびＦＦ４が箱の上方高く上がらないと衛生紙が箱の中から取り出されるとき、２枚の羽根部の共通する切り込み線の間を通り抜ける空間が作れないという条件が発生し、衛生紙の取り出しに羽根部を高く持ち上げるという無駄なエネルギーが必要となる。
【０１０８】
また特許文献３の内容からすると、「共通する切り込み線は丸みをおびていればその形状は自由でいい」という趣旨が説明されていると思うが、筆者は次の条件の時にはたとえ丸みが帯びていても、その取り出し性能に著しい不具合が生じるということに気づいた。特許文献３によると「丸みがつけられていれば如何なる形状であっても良く、例えば、一方の羽根部３ の付け根対向部３ ｃ が他方の羽根部３ の羽本体部３ ｂ に十分にえぐり込むようにして丸みがつけられたような形状であっても良い。」とあるが、この特許文献３をよく読むと、特許文献の前提に「当該家庭用薄葉紙収納箱の上面には、前記家庭用薄葉紙収納箱の長手方向に並んだ該上面の二つの部分が」と、長手方向とあり、前記「えぐりこむようにして」とあるのは箱の長辺に沿って双方向にえぐり込むとまず理解される。よって、前記内容を図示すると、図２７になる。
【０１０９】
この状態のときの衛生紙のソフトな取出し状態を検証したい。
図２７の場合等は、衛生紙を取り出すとき、共通する切り込み線内の２７−０から衛生紙を取り出そうとすると、うまく取り出せない。また共通する切り込み線でない部分２７−６の下にある衛生紙をつまんで取り出そうとすると、羽根部の一方が高く跳ね上がり、他方の羽根部が低く一方の羽根部を支える図２８の状態に開かないと、衛生紙をうまく取り出せない。
【０１１０】
また、この特許文献３の構造上の特徴点を図１５で説明する。図１５では長い周縁部ＦＦ２とＦＦ４がある。つまり共通する切り込み線の端部Ｆ５からさらに折り線に沿って外側に直線状に延長する羽根部の端部Ｆ４があり、またそこからさらにそれぞれ根元部Ｆ３までつながる切り込み線ＦＦＦ３に続いている。一方、共通する切り込み線の端部Ｆ６からさらに折り線に沿って外側に直線状に延長する羽根部の端部Ｆ２があり、またそこからさらにそれぞれ根元部Ｆ１までつながる切り込み線ＦＦＦ１に続いている。以上のことから、端部Ｆ２とＦ６はそれぞれ同一方向に衛生紙が抵抗を受け、また端部Ｆ４とＦ５は端部Ｆ２とＦ６と逆の向きに抵抗を受ける。よって取り出される衛生紙は図１５で見ると左に回転するねじれの力を受ける。
【０１１１】
以上からわかることは、F２とF６は、１抵抗方向に対し連続した２箇所の同一方向の抵抗点として位置し、また、F４とF５も１抵抗方向に対し連続した２箇所の同一方向の抵抗点として位置しているということである。１抵抗方向に対し、上記２箇所の抵抗点がそれぞれあるぶん、同一方向の抵抗はダブルの力で、どうしても強くならざるを得ず、ソフトな効果的な取り出しは悪くなる。
また悪いことに、Ｆ２の抵抗を受けた衛生紙は、Ｆ６の抵抗点が同一方向の抵抗点であるので、衛生紙自体が上に引き上げられたとき、Ｆ２に対応する衛生紙の上辺がそのまま下に落ちることにつながる。つまり、F２の衛生紙の上方部分が箱の上面に向け、拝み落ちることにつながる。同じことはＦ４にも言える。
【０１１２】
上記欠点を考えると、ＦＦ２とＦＦ４の二つの周縁部を後述する図１８の端部に構造変更することが優れていると思う。後述する図１８の場合は、衛生紙の交錯する抵抗方向の設計を、効率よく1箇所の山部で設計し、また互いに反対方向に交互に交錯し押し合うように設計されているので、特許文献３の場合より、ソフトで安定した効率のいい取り出し設計が可能となる。
【０１１３】
前述した内容をまとめると、二つの羽根部の共通する切り込み線は、箱の長辺に平行な方向に広くとることがまず大切であり、
かつ箱の長辺に平行な向きには凹凸がなく、箱の長辺に沿った方向には、できる限り平均してなだらかに、且つ箱の短辺に平行な方向には大きくウェーブすることが、衛生紙のソフトな取出しには大切であるということである。
【０１１４】
まだ少し、衛生紙を取り出す際の、衛生紙への抵抗の方向について論述したい。
箱の中の衛生紙のみが積み重ねられた状態で、箱がない状態を考えていただきたい。衛生紙の一枚目の折られた先端の中央部分を折られた辺に垂直な方向に沿ってそのまま上に持ち上げると、当初は、当該一枚目の衛生紙の折られた下の部分は一緒には上がってこない。前記上の部分が持ち上げられた後、折られた辺が上がり始め、そのあと初めて下の部分が上に持ち上げられていく。よって、衛生紙が上に持ち上げられて行く過程で、一枚目の折られた上の部分と折られた下の部分では、上に持ち上げられるのに、時間のずれが生じる。つまり、衛生紙が持ち上げられる際、変形して変形した部分から生じる抵抗は、一枚目の上の部分から始まり、時間をおいて下の部分が続き、結局少しずつ時間を追って段階を追って生じるので、後述する方法よりソフトといえる。
【０１１５】
一方、一番上にある一枚目の衛生紙の折られた部分の上の部分を、衛生紙の折られた辺に沿って衛生紙をつまみ上げると、つまみあげられた一枚目の衛生紙の折られた下に位置する残りの部分もほとんど同時に順に上に上がってくる。理由は１枚の衛生紙が折られて、折られた辺そのものが、言わば、つっかい棒の働きをし、当該折られて真下に位置する部分の衛生紙も一緒に上に上がってくるからだ。
【０１１６】
すると、先頭に位置する一枚目の衛生紙の間に挟まれた、二枚目の折られた上の部分も一緒に上に持ち上げられ、結局この作業の連続で、複数枚の衛生紙が殆んど同時に上に持ち上げられることになる。
結局、衛生紙の折られた辺に沿って衛生紙をつかみ上げる構造設計では抵抗が強すぎて、難があることになる。衛生紙の取り出しはソフトになりにくいのである。
【０１１７】
以上で衛生紙は箱の長辺にそった抵抗を受けるのではなく、できれば、箱の短辺に沿った抵抗を主に受けるようにするほうがソフトな取り出しにつながるということがお分かりいただけたと思うが、このことをこの図１５において説明すると、取り出される衛生紙が抵抗を受け変形する作業を行う共通する切り込み線部分が箱の長辺方向に短いという短所を改善し、特許文献３の「家庭用薄葉紙収納箱の長手方向に並んだ該上面の二つの部分」という条件を覆し、筆者は、図１６のように２枚の羽根部の共通する切り込み線の、箱の長辺方向に対する長さを図１５より大幅に長くし、つまり、取り出し口羽根部の共通する切り込み線のＸＸの幅を取り出し口の横幅に近くした。
【０１１８】
その結果、２枚の羽根部は羽根部の周縁部ＦＦ２およびＦＦ４の長さが大幅に短くなり、殆んどゼロに近くなった。結局、図１６で説明すると、ＸＸの長さが長くなる。すると図１５の場合より、羽根部の開閉で羽根部の周縁部の箱の上面からの高さが低い位置でも箱の中の衛生紙が出てくる空間、幅が十分にでき、羽根部を上に開く余分な力を使わず、衛生紙を楽に取り出すことができるようになり、それだけソフトな取出しができるようになる。
【０１１９】
またこのようにすることで、図１５より図１６のほうが、箱の上面の羽根部の、箱の長辺に沿った長さが長くなるので、羽根部に箱の長辺方向の高さがそなわり、その部分からのゴミの侵入を防ぐ効果も同時に備わることになる。
【０１２０】
しかし、筆者は上記羽根部の共通する切り込み線の箱の長辺に平行な方向の長さを長くすることで、前述の羽根部の効果を取得したが、同時に羽根部自体の折線の長さが長くなり、折線の部分から生じる羽根部の抵抗が増え、回転がソフトでなくなるという問題１に直面した。また羽根部自体が箱の長辺に平行な向きに長く大きくなったので、その分消費者が折線に沿って折ったり、最初に箱の取り出し口を開封する際に、扱いにくくなるという問題２にも直面した。
【０１２１】
さて、前記問題１の解決策として、次のアイデアを思いついた。具体的に説明すると、前記羽根部回転機能を滑らかにするために、羽根部の折線部の端部から折り線の中央に向かってカット線をいれたのである。また、折線の中央部分に折線に沿ってカット線をいれた。
【０１２２】
図１１−１、図１１−２、図１１−３、図１１−４および図２０を見てほしい。羽根部の根本部折り線の端部から共通する切り込み線方向に向かい折り線上に図２０には、切り込み線ＰＰとＱＱとＲＲとＳＳが入れられている。また、
図１１−１、図１１−２、図１１−３、図１１−４にも類似の切り込み線、１１−１−１等が入れられている。
【０１２３】
特に図１１-１には、羽根部の折線の中間部に切り込み線が入っている。この切り込み線が入れられることで羽根部の先細くなった部位の折りが折りやすくなる効果が備わることになる。また羽根部の折れ線自体が、加えられた切り込み線の分だけ短くなることで、羽根部根元部の折線を軸とした開閉に伴う回転の動きが、より軽く、よりソフトになる効果が備わることになる。
2よって前述した問題１が解決したことになる。
【０１２４】
また前記ゴミの侵入防止という長所も、折り線に沿って折り線自体をカットすることで、羽根部が開閉のために回転しても、カット線自体は、回転に関係なく、常に箱の上面に位置しているので、新しく箱自体に余分な空間が発生し、ゴミが侵入する空間が新しく作られることもないので、前述した長所も前記の切り込み線を入れることで損なわれることはない。
【０１２５】
しかしこのカット線は長ければ長いほどいいというだけのものでもない。
カット線が折り線の長さに比べて極端に長い場合、つまり折り線の長さが極端に短い場合、その羽根部は回転軸が不安定になる。
【０１２６】
しかし、このカット線の長さは短くまたは長く自由に設定できるので、羽根部の回転方向に必要ななめらかさと安定さを自由に調節できるようになり、状況に応じなめらかな取り出しに最適な羽根部を構成できることとなる。
【０１２７】
図  中間部かっと線        図  丸    図いかり  釣鐘    破れにくい
ただしここで注意してほしいことは、この図１６のままでは、衛生紙が出てくるとき、図１５より羽根部を必要以上に上に上げる余分な力を必要としなくなっただけで、衛生紙の保持能力が高まったわけではないということである。逆に図１５では摩擦は強いが衛生紙の保持能力としては、共通する切り込み線の箱の長辺方向に対する衛生紙との接触点Ｆ５とＦ６が確実に箱の中央に近く、抵抗箇所も多いので、保持能力は図１５のほうが図１６より高いといえる。
【０１２８】
さて、これからこの問題点の本格的改良につとめる。
この発明の課題は、最終的に衛生紙を取り出すときの箱の切り込み構造で作られる合成力で、衛生紙がソフトにふわっと取り出せ、且つ衛生紙が箱の上面にきちんと保持されているかどうかであるからだ。
【０１２９】
図１８をみてほしい。共通する切込み線Ｆ２とＦ４の間に波線形状の山部ＴＴが羽根部ＨＨ上に、また山部ＵＵが羽根部ＧＧ上に設けられている。
【０１３０】
この山部ＴＴとＵＵは,山部ＶＶとＷＷと同じように、山部ＶＶとＷＷとを結んだ衛生紙に対し、側面から垂直な力を交互に交錯するように与えている。
【０１３１】
つまり、山部ＷＷとＴＴとＵＵとＶＶは、取り出される衛生紙に対し、交錯するように側面から交互に力を与えている。具体的には図１８に向かって左からＷＷ１、ＴＴ１、ＵＵ１、ＶＶ１と４つの矢印で示されている。
【０１３２】
図１８−１で示される山部ＷＷとＵＵは羽根部ＨＨ側に向けて衛生紙を押し、山部ＴＴは羽根部ＧＧ側に向けて衛生紙を押している。
【０１３３】
よって衛生紙は三つの山部でしっかりホールドされている。また、図１８−２で示される山部ＴＴとＶＶは羽根部ＧＧ側に向けて衛生紙を押し、山部ＵＵは羽根部ＨＨ側に向けて衛生紙を押している。
【０１３４】
よって衛生紙は三つの山部でしっかりホールドされている。
【０１３５】
上記より、このＴＴとＵＵをもうけることで、直線ＸＸに沿って出てくる衛生紙が複雑に立体的に折られながらジャングルジムのように変形し、また折られて変形することで衛生紙自体を支える折部分の直線状の柱の力が生まれ、より安定した衛生紙の保持力が生み出されることになる。
【０１３６】
また、ＷＷとＴＴとＵＵとＶＶは、箱の長辺に平行な方向にほぼ等間隔に並んでいる。このほぼ等間隔で並んでいることも大切である。この間隔の中で短い間隔があると、その間隔を通過する衛生紙は他の間隔に比べて、箱の上面からより高い位置まで羽根部の周縁部が上がらないと衛生紙が取り出せず、結局その分、余分な力を必要とし、衛生紙のソフトな取出しに支障をきたすことになる。つまり、ほぼ等間隔に配置することで、図３で論じた衛生紙を取り出すとき、各羽根部の頂部が少しでも低く設定し、余分な力を使わないことに効果を発揮する。
【０１３７】
筆者の実験では、図２１−１の場合、あるいは図２２の場合、衛生紙を取り出し、開いた羽根部を軽く上から押し、蓋を閉めるようにした状態で、上面に出ている衛生紙を取り出すと、中から、連続する次の衛生紙がでてくることを確認できている。もちろん衛生紙の厚さによっても異なるだろうが、ほとんど上面の羽根部の取り出し口の羽根部が閉じた状態に近くても衛生紙を取り出せる場合もあり、このような使い方をすれば、ほとんどゴミが入らない取り出し口構造に近くできる。
【０１３８】
図１８を見てほしい。
共通する切込み線上の二つの頂部ＴＴとＵＵがＶＶとＷＷに比べ各羽根部の折線からの距離が短くなっている。このことで、２つの羽根部が箱の上方に立ち上がった場合、頂部ＷＷとＶＶとの折線からの距離が長くなり、一方、頂部ＴＴとＵＵの羽根部の折線からの距離が短くなり、衛生紙と４つの頂部が離れるとき、時間の差ができる。つまり、図２４と比べて、２段階のソフトな衛生紙の取出しができることになる。
【０１３９】
図１９をみてほしい。
山部ＴＴとＵＵから各山部の位置する羽根部の折線に向けて、切り込み線が入れられている。こうすることで相対する２枚の羽根部が相対する４枚の羽根部ＭＭＭＭとＮＮＮＮとＯＯＯＯとＰＰＰＰに変化し、それぞれの４枚の羽根部が複雑な衛生紙の変化に対応し、効率的な、ソフトな衛生紙の取出しを可能にする。その様子は、前述で、車の２輪駆動と４輪駆動のエンジンで説明してあるのでお分かりいただけると思う。また、消費者が、箱の取り出し口の偏った部分から衛生紙を引き出した際、四つに取り出し口の羽根部が分かれていることで、四つの羽根部のうち一部の羽根部が開閉すればよく、残りの羽根部が閉じたままでも、あるいは少し開いただけでも取り出すことが可能であり、その結果、閉じた羽根部の部分からゴミが侵入する可能性も少なくなり、結果として、ゴミが入りにくくなる。
【０１４０】
また、上記４つの羽根部の隣り合う羽根部同士の境目は図１９に示されている場合、ＪＪあるいはＫＫであるが、その境目を示すＪＪあるいはＫＫは長さが短くなっていて、各羽根部周縁部の谷部から当該根元部までの切り込み線である。よって、切り込み線が入れられることで、取り出される衛生紙が、この切り込み線に引っかかり、とり出しにくくなることはない。
【０１４１】
また、この切り込み線は、当該切り込み線が入れられて折線を同一線上に持つ、隣り合う二つの羽根部が、箱の端側面からみて、当該二つの羽根部の根元部の折線から同じ角度に羽根部が保たれた場合、実質的に当該切り込み線の間からゴミが侵入することはまったくなくなるので、衛生紙収納用箱の衛生の保持に貢献する。また前記２つの羽根部の開いた角度が異なる場合でも、当該切り込み線を通して作られる空間は小さく、当該切り込み線からのゴミの侵入は考えにくい。
【０１４２】
一方図３０に示される場合、つまり、共通する切り込み線がウェーブしながらその頂部が二つの羽根部の折線に接している場合であるが、羽根部が開いた場合、前記切り込み線に相当する図３０の部分の羽根部の端部は大きく羽根が上に開くので、この作られる空間からの
ゴミの侵入は大きいといえる。
【０１４３】
さてさらに別な角度の長所、つまり前記切り込み線を入れることで取り出し口の羽根部の開閉がソフトになることも論じたい。
さて、一例として、一枚の羽根部を考えていただきたい。この一枚の１羽根部の中ほどの周縁部から折線に向かって切り込み線を入れる。すると一枚の羽根部が二枚の羽根部になる。折線自体は長さが約半分の２つの折線になる。羽根部に加えられる力は、羽根部が一枚の時も、二枚の時も同じである。しかし衛生紙の接触部が前記二枚の羽根部のうちの一枚に限られた場合、当該接触部を通じて、抵抗を受ける羽根部の根元部の折線はひとつであり、よってこの場合は必ず羽根部は切り込み線のない場合に比べてソフトになる。つまり羽根部が二枚になると、羽根部の折線が短い二つの折線になっているので、羽根部の回転がソフトになるということである。
【０１４４】
次に切り込み線の終端部の加工について論じたい。
図１９では、切り込み線の折線に向かう終端部が、ＫＫＫのように丸く加工されたり、ＪＪＪのように、Ｔ字に加工されたりしている。こうすることで、羽根部を切り込み線にそって開封する際、力の方向が９０度転回したり、１８０度転回したりし、あるいは自由な角度に回転させて、切り込み線に沿って開ける勢いで切り込み線がその延長線上に裂開することを防ぐ効果が生まれる。また、図３１に示すように、このＫＫＫの丸加工をよく見ると、釣り張りのようになっていて、丸部分が完全な丸ではない（３１−１）。Ｔ字状（３１−２）の場合はもちろん、開封時この丸加工部分が上面部分から切り離されることはないので、この部分がゴミとなることもなくなる。またＴ字状の場合は接する切り込み線が直線ではなく、いかなる切り込み線でもかまわない。例えば円周部分のようにカーブした切り込み線でもかまわない。この円周部分の場合は、いわゆる碇状となる。（３１−３）
【０１４５】
図２１をみてほしい。Ｆ１からＦ２にかけて、またＦ３からＦ４にかけた切り込み線が、図２０に比べて、直線から曲線に変化している。これは衛生紙が中から出てくるときに、取り出し口の丸く広がった部分が箱の長辺に沿った方向に広がるので、取り出し口がソフトになる効果と、衛生紙が中に落下したときに、指をいれて中の衛生紙を取り出しやすくなる効果を併せ持つ。
【０１４６】
図２２を見てほしい。取り出し口全体が、例えば、取り出し口の両端部の羽根部ＧＧＧとＨＨＨＨの根元部から最も遠い距離にある頂部Ｆ２とＦ４の箱の短辺方向に沿った距離が広がる方向に回転して設置されている。
こうすることで、衛生紙の保持点が箱の短辺方向に沿って長く設置され、より安定した保持が可能となる。
また、取り出し口全体が回転することで、箱の長辺に平行に折られた衛生紙が、箱の中からでてくるとき、  前述したねじれの効果がさらにまして、より安定した衛生紙の箱の上面における保持が可能となる。
【０１４７】
また図２４に示されるように、［特許文献１］の場合、収納箱の上面に作られた、開口部の羽根部の長さは、［特許文献３］の羽根部にくらべて、羽根部の根元部から羽根部の端部までの長さＸ５、Ｘ６が約半分近くになっている。また波線状の切り込み線自身の短辺に沿った距離ＹＹは図１８のＤＤに比べて非常に短くなっている。また一つ一つの共通する切り込み線の山部と山部の間の箱の長辺に沿った距離が図１５に比較して極端に短いことから、今まで論じた観点から考えると、その取出し効果は到底効果のあるソフトさとはいえないと思う。
【０１４８】
つまり、羽根部によるクッション効果と衛生紙に摩擦を加える力は弱くなり、シート状の平面的衛生紙を立体構造に変形させる力は弱いし、また衛生紙をねじらせる力はほとんどないと考える。
【０１４９】
本発明の実施の形態は、上述したものに限定されない。箱部の形状は任意であり、必ずしも直方体に限られない。束の形状は任意であり、直方体に限られない。束は、トイレットペーパーのような円柱状のものであっても構わない。衛生紙が積層される態様は任意である。フィルムレスな取出口のときに、本発明は特に有効であるが、箱部に設けられる取出口には、フィルムが貼られていても構わない。取り出し口は、箱部の側面および底面に設けてもよい。また二面に渡る開口部を、また三面に渡る開口部を設けても良い。上面と下面また側面にそれぞれに取出口を設けて、上面と下面、側面のどちらの方向からもティッシュを取り出すことができるように構成してもよい。
また前述した発明を説明する図において、図の垂直線を軸に左右対称にした図による構成による箱でもかまわない。
【図面の簡単な説明】
【０１５０】
【図１】特に請求項１、２、３、４、５、６、７、８、９、１０、１１、１８にかかわる、実施形態のティッシュボックスの概略的な斜視図である。
【図２】図１の上面図である。
【図３】開口部が開封された、図１の正面図である。
【図４】開口部が開封された、図１の左側面図である。
【図５】開口部が開封された、図１の上面図で、９０度左側に回転したものである
【図６】特に請求項１４にかかわる、実施形態のティッシュボックスの上面図である。
【図７】特に請求項１３、１４にかかわる、実施形態のティッシュボックスの上面図である。
【図８】特に請求項１５にかかわる、実施形態のティッシュボックスの上面図である。
【図９】特に請求項１６にかかわる、実施形態のティッシュボックスの上面図である。
【図１０】特に請求項１７にかかわる、実施形態のティッシュボックスの上面図である。
【図１１−１】第一の羽根部と、第二の羽根部の付け根部の折線上に１１−１−１、１１−１−２、１１−１−３、１１−１−４、１１−２−１、１１−２−２、１１−２−３，１１−２−４と４つの切り込み線が入れられている。この切り込み線は羽根部の回転をソフトにするという効果がある。この切り込み線は、羽根部付け根部の両端と羽根部付け根部の中央寄りに入れられたものとがある。両端のものは羽根部付け根部の折線にそって折るとき折りやすくなるという効果もあわせ持つ。また、中央寄りに入れられたものは羽根部の回転軸が安定する効果を併せ持つ。取り出し口の羽根部の付け根部の一部に切り込み線が入れられている図である。共通する切り込み線は太く強調表示されている。一方、単独の切り込み線は細く表示されている。羽根部の付け根部に入れられた切り込み線は太く強調表示されている。羽根部付け根部の折線は点線表示されている。
【図１１−２】取り出し口の羽根部の付け根部の一部に切り込み線が入れられている図である。共通する切り込み線は太く強調表示されている。一方、単独の切り込み線は細く表示されている。羽根部の付け根部に入れられた切り込み線は太く強調表示されている。羽根部付け根部の折線は点線表示されている。
【図１１−３】取り出し口の羽根部の付け根部の一部に入れられた切り込み線の端部が釣り針状に丸く加工されたり、Ｔ字状になったり、Ｌ字状になったりした図である。共通する切り込み線は太く強調表示されている。一方、単独の切り込み線は細く表示されている。羽根部の付け根部に入れられた切り込み線は太く強調表示されている。羽根部付け根部の折線は点線表示されている。また共通する切り込み線から付け根部折線まで入れられた切り込み線の終端部も丸く釣り針状等に加工されたりしている。
【図１１−４】取り出し口の羽根部の付け根部の一部に入れられた切り込み線の端部が釣り針状に丸く加工されたり、Ｔ字状になったり、Ｌ字状になったりした図である。共通する切り込み線は太く強調表示されている。一方、単独の切り込み線は細く表示されている。羽根部の付け根部に入れられた切り込み線は太く強調表示されている。羽根部付け根部の折線は点線表示されている。また共通する切り込み線から付け根部折線まで入れられた切り込み線の終端部も丸く釣り針状等に加工されたりしている。
【図１２−１】衛生紙収納用箱の上面図である。上面中央部に取り出し口１２−１１がある。
【図１２−２】一枚の衛生紙が二つに折られたものを折線に垂直に断裁したものの断裁面である。図左側部分が折線に相当する断面図である。
【図１３】図１２−１の中央取り出し口を箱の長辺に沿って広げたものである。
【図１４】中央の取り出し口を、破りとらない形式の、つまり箱の短辺に平行な方向に互いに逆方向に開く方式の２枚の羽根形式にしたものである。
【図１５】図１４の共通する切り込み線を丸みを帯びるように加工したものである。
【図１６】図１４の取り出し口の共通する切り込み線をあえて取り出し口の両辺まで広げたものである。
【図１７】１６の共通する切り込み線を丸みを帯びるように加工したものである。
【図１８】図１６に加えて、共通する切り込み線上に、向かって右から谷部と山部と谷部を加工し加えたものである。
【図１８−１】図１８に描かれた４つの矢印で示される共通する切り込み線上の４つの頂部の中の向かって左から三つの様子を、点線で示された楕円で囲ったものである。
【図１８−２】図１８に描かれた４つの矢印で示される共通する切り込み線上の４つの頂部の中の向かって右から三つの様子を、点線で示された楕円で囲ったものである。
【図１９】図１８の共通する切り込み線上から各羽根部の付け根部の折線に向かって切り込み線が入れられ、その終端部が釣り針状に丸く加工されたり、他の切り込み線に接して、終端部がＴ字状に見えたりしているものを図示してある。
【図２０】図１９に加えて羽根部付け根部の折り線上に切り込み線ＱＱ、ＴＴ、ＲＲ，ＳＳ等をを入れたものである。
【図２１】図１８の羽根部の単独の切り込み線を丸く加工したものである。
【図２２】図２１の取り出し口を羽根部の共通する切り込み線の両端部が箱の短辺に沿った距離が広がる方向に斜めに回転させたものである。
【図２２−１】図２２に加えて、共通する切り込み線上から各羽根部の付け根部の折線に向かって切り込み線ＪＪとＫＫが入れられている図である。
【図２２−２】図２１の羽根部の先端部の折り線上に切り込み線ＰＰとＱＱを加えた図である。
【図２２−３】図２３の取り出し口を羽根部の共通する切り込み線の両端部が箱の短辺に沿った距離が広がる方向に斜めに回転させたものである。
【図２３】図２２−２に羽根部に共通する切り込み線上から羽根部付け根部の折線まで切り込み線を入れた図である。
【図２４】特許文献１の基本構造の箱の上面を図示したものである。
【図２５】図２１のほぼ左右対称の図である。
【図２６】図２２−３において、共通する切り込み線の両端部が箱の短辺に沿った幅が広がる方向に、取り出し口全体を回転させ、斜めに配置したものである。
【図２７】特許文献３の内容で、「丸みがつけられていれば如何なる形状であっても良く、例えば、一方の羽根部３ の付け根対向部３ ｃ が他方の羽根部３ の羽本体部３ ｂ に十分にえぐり込むようにして丸みがつけられたような形状であっても良い。」という内容の一例を図示したものである。
【図２８】図２７の取り出し時の二つの羽根部の開閉状況において、その構造的弱点から、仕方なく羽根部の位置が偏って位置される場合の、箱の端側面からみた図である。
【図２９】図２６に二つの羽根部の共通する切り込み線上から各羽根部の付け根部の折線に向かって切り込み線を入れた図である。
【図３０】特許文献３の構成を基本にその一部を連続して設置した場合の図である。
【図３１】図１９の一部を拡大して、その内容を抜き出して図化したものである。
【符号の説明】
【０１５１】
図１、２、３、４、５、６、７、８、９、または１０における符号の中で
１    箱部
２    衛生紙
３１    蓋部
３２    蓋部
３３    蓋部共通の切り込み線
３４    蓋部単独の切り込み線
３５    蓋部単独の切り込み線
３６    蓋部の根元部折線
３７    蓋部の根元部折線
３８    羽部スリット線
３９    羽部スリット線
４１    蓋部
４２    蓋部
４３    蓋部共通の切り込み線
４４    蓋部単独の切り込み線
４５    蓋部単独の切り込み線
４６    蓋部の根元部折線
４７    蓋部の根元部折線
４８    羽部スリット線
４９    羽部スリット線
５８    羽部共通の切り込み線
５９    羽部共通の切り込み
Ａ      収納箱長辺
Ｂ      収納箱短辺
Ｃ      収納箱高さ
Ｄ      取り出し口幅
Ｅ      取り出し口長さ
Ｆ      羽部折り線
Ｇ      羽部根元部折線
Ｈ      収納箱長辺
Ｉ      収納箱短辺
Ｋ      取り出し口幅
Ｌ      取り出し口長さ
【０１５２】
図１１−１の符号の中で
Ａ      収納箱長辺の幅
Ｂ      収納箱短辺の幅
Ｄ      取り出し口の箱の短辺に沿った幅
Ｅ      取り出し口箱の短辺に沿った幅
Ｆ      羽部折り線の幅
１１−１−１      羽根部付け根部の折線上に入れられた切りこみ線
１１−１−２      羽根部付け根部の折線上に入れられた切りこみ線
１１−１−３      羽根部付け根部の折線上に入れられた切りこみ線
１３１      羽根部
１３２      羽根部
１３３      共通の切りこみ線
１３４      羽根部単独の切りこみ線
１３５      羽根部単独の切りこみ線
１３６      羽根部付け根部の折線
【０１５３】
図１１−２の符号の中で
Ｈ      収納箱長辺の幅
Ｉ      収納箱短辺の幅
Ｋ      取り出し口の箱の短辺に沿った幅
Ｌ      取り出し口箱の短辺に沿った幅
Ｍ      羽部折り線の幅
Ｇ      羽部折り線の幅
１１−２−１      羽根部付け根部の折線上に入れられた切りこみ線
１１−２−２      羽根部付け根部の折線上に入れられた切りこみ線
１１−２−３      羽根部付け根部の折線上に入れられた切りこみ線
１１−２−４      羽根部付け根部の折線上に入れられた切りこみ線
１４１      羽根部
１４２      羽根部
１４３      共通の切りこみ線
１４４      羽根部単独の切りこみ線
１４５      羽根部単独の切りこみ線
１４６      羽根部付け根部の折線
１４７      羽根部付け根部の折線
【０１５４】
図１１−３の符号の中で
Ａ      収納箱長辺の幅
Ｂ      収納箱短辺の幅
Ｄ      取り出し口の箱の短辺に沿った幅
Ｅ      取り出し口箱の短辺に沿った幅
Ｆ      羽部折り線の幅
１３１      羽根部
１３２      羽根部
１３３      共通の切りこみ線
１３４      羽根部単独の切りこみ線
１３５      羽根部単独の切りこみ線
１３６      羽根部付け根部の折線
１３７      羽根部付け根部の折線
１３８      羽根部共通の切りこみ線上から羽根部付け根部の折線まで入れられた切りこみ線
１３９      羽根部共通の切りこみ線上から羽根部付け根部の折線まで入れられた切りこみ線
【０１５５】
図１１−４の符号の中で
Ｈ      収納箱長辺の幅
Ｉ      収納箱短辺の幅
Ｋ      取り出し口の箱の長辺に沿った幅
Ｌ      取り出し口箱の短辺に沿った幅
Ｍ      羽部折り線の幅
Ｇ      羽部折り線の幅
１１−２−１      羽根部付け根部の折線上に入れられた切りこみ線
１１−２−２      羽根部付け根部の折線上に入れられた切りこみ線
１１−２−３      羽根部付け根部の折線上に入れられた切りこみ線
１１−２−４      羽根部付け根部の折線上に入れられた切りこみ線
１４１      羽根部
１４２      羽根部
１４３      共通の切りこみ線
１４４      羽根部単独の切りこみ線
１４５      羽根部単独の切りこみ線
１４６      羽根部付け根部の折線
１４７      羽根部付け根部の折線
１４８      羽根部共通の切りこみ線上から羽根部付け根部の折線まで入れられた切りこみ線
【０１５６】
図１２−１の符号の中で
ＡＡ      収納箱長辺の幅
ＢＢ      収納箱短辺の幅
ＣＣ      取り出し口の箱の長辺に沿った幅
ＤＤ      取り出し口の箱の短辺に沿った幅
ＥＥ      衛生紙収納用箱
ＦＦ      衛生紙取出し口
１２−１１      衛生紙取出し口
【０１５７】
図１２−２の符号の中で
１２−２−２      衛生紙
【０１５８】
図１３の符号の中で
ＡＡ      収納箱長辺の幅
ＢＢ      収納箱短辺の幅
ＣＣ      取り出し口の箱の長辺に沿った幅
ＤＤ      取り出し口の箱の短辺に沿った幅
Ｆ１      取り出し口端点。取り出し口１３−１の四角の角である。
Ｆ２      取り出し口端点。取り出し口１３−１の四角の角である。
Ｆ３      取り出し口端点。取り出し口１３−１の四角の角である。
Ｆ４      取り出し口端点。取り出し口１３−１の四角の角である。
１３−１      取り出し口
１３−２      取り出し口上辺
１３−３      取り出し口下辺
【０１５９】
図１４の符号の中で
ＡＡ      収納箱長辺の幅
ＢＢ      収納箱短辺の幅
ＣＣ      取り出し口の箱の長辺に沿った幅
ＤＤ      取り出し口の箱の短辺に沿った幅
ＥＥ      衛生紙収納用箱
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＸＸ      共通する切りこみ線の箱の長辺に沿った幅
【０１６０】
図１５の符号の中で
ＡＡ      収納箱長辺の幅
ＢＢ      収納箱短辺の幅
ＣＣ      取り出し口の箱の長辺に沿った幅
ＤＤ      取り出し口の箱の短辺に沿った幅
ＥＥ      衛生紙収納用箱
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＸＸ      共通する切りこみ線の箱の長辺に沿った幅
【０１６１】
図１６の符号の中で
ＡＡ      収納箱長辺の幅
ＢＢ      収納箱短辺の幅
ＣＣ      取り出し口の箱の長辺に沿った幅
ＤＤ      取り出し口の箱の短辺に沿った幅
ＥＥ      衛生紙収納用箱
ＧＧ      羽根部
ＨＨ      羽根部
ＩＩ      共通する切りこみ線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＸＸ      共通する切りこみ線の箱の長辺に沿った幅
【０１６２】
図１７の符号の中で
ＡＡ      収納箱長辺の幅
ＢＢ      収納箱短辺の幅
ＣＣ      取り出し口の箱の長辺に沿った幅
ＤＤ      取り出し口の箱の短辺に沿った幅
ＥＥ      衛生紙収納用箱
ＧＧ      羽根部
ＨＨ      羽根部
ＩＩ      共通する切りこみ線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＸＸ      共通する切りこみ線の箱の長辺に沿った幅
【０１６３】
図１８の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧ      羽根部
ＨＨ      羽根部
ＩＩ      共通する切りこみ線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＷＷ      共通する切りこみ線の頂部
ＴＴ      共通する切りこみ線の頂部ＵＵ      
ＵＵ      共通する切りこみ線の頂部
ＶＶ      共通する切りこみ線の頂部
ＷＷ１      共通する切りこみ線の頂部から衛生紙に加えられる力のベクトル
ＴＴ１      共通する切りこみ線の頂部から衛生紙に加えられる力のベクトル
ＵＵ１      共通する切りこみ線の頂部から衛生紙に加えられる力のベクトル
ＶＶ１      共通する切りこみ線の頂部から衛生紙に加えられる力のベクトル
【０１６４】
図１８−１の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧ      羽根部
ＨＨ      羽根部
ＩＩ      共通する切りこみ線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＷＷ      共通する切りこみ線の頂部
ＴＴ      共通する切りこみ線の頂部ＵＵ      
ＵＵ      共通する切りこみ線の頂部
ＶＶ      共通する切りこみ線の頂部
ＷＷ１      共通する切りこみ線の頂部から衛生紙に加えられる力のベクトル
ＴＴ１      共通する切りこみ線の頂部から衛生紙に加えられる力のベクトル
ＵＵ１      共通する切りこみ線の頂部から衛生紙に加えられる力のベクトル
ＶＶ１      共通する切りこみ線の頂部から衛生紙に加えられる力のベクトル
ＷＷ１ＴＴ１ＵＵ１      共通する切りこみ線の頂部ＷＷ１、ＴＴ１、ＵＵ１の頂部選択範囲図
【０１６５】
図１８−２の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧ      羽根部
ＨＨ      羽根部
ＩＩ      共通する切りこみ線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＷＷ      共通する切りこみ線の頂部
ＴＴ      共通する切りこみ線の頂部ＵＵ      
ＵＵ      共通する切りこみ線の頂部
ＶＶ      共通する切りこみ線の頂部
ＷＷ１      共通する切りこみ線の頂部から衛生紙に加えられる力のベクトル
ＴＴ１      共通する切りこみ線の頂部から衛生紙に加えられる力のベクトル
ＵＵ１      共通する切りこみ線の頂部から衛生紙に加えられる力のベクトル
ＶＶ１      共通する切りこみ線の頂部から衛生紙に加えられる力のベクトル
ＴＴ１ＵＵ１ＶＶ１      共通する切りこみ線の頂部ＴＴ１、ＵＵ１、ＶＶ１の頂部の選択範囲図
【０１６６】
図１９の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧＧ      羽根部ＭＭＭＭと羽根部ＧＧＧＧの合体した部
ＨＨＨ      羽根部ＮＮＮＮと羽根部ＰＰＰＰの合体した部
ＩＩ      共通する切りこみ線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＷＷ      共通する切りこみ線の頂部
ＴＴ      共通する切りこみ線の頂部ＵＵ      
ＵＵ      共通する切りこみ線の頂部
ＶＶ      共通する切りこみ線の頂部
ＪＪ      羽根部共通の切りこみ線上から羽根部付け根部の折線まで入れられた切りこみ線
ＫＫ      羽根部共通の切りこみ線上から羽根部付け根部の折線まで入れられた切りこみ線
ＪＪＪ      羽根部共通の切りこみ線上から羽根部付け根部の折線まで入れられた切りこみ線のＴ字状加工部
ＫＫＫ      羽根部共通の切りこみ線上から羽根部付け根部の折線まで入れられた切りこみ線の釣り針状加工部
【０１６７】
図２０の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧＧ      羽根部ＭＭＭＭと羽根部ＧＧＧＧの合体した部
ＨＨＨ      羽根部ＮＮＮＮと羽根部ＰＰＰＰの合体した部
ＩＩ      共通する切りこみ線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＷＷ      共通する切りこみ線の頂部
ＴＴ      共通する切りこみ線の頂部ＵＵ      
ＵＵ      共通する切りこみ線の頂部
ＶＶ      共通する切りこみ線の頂部
ＪＪ      羽根部共通の切りこみ線上から羽根部付け根部の折線まで入れられた切りこみ線
ＫＫ      羽根部共通の切りこみ線上から羽根部付け根部の折線まで入れられた切りこみ線
ＱＱ      羽根部付け根部の折線上に入れられた切りこみ線
ＲＲ      羽根部付け根部の折線上に入れられた切りこみ線
ＳＳ      羽根部付け根部の折線上に入れられた切りこみ線
ＰＰ      羽根部付け根部の折線上に入れられた切りこみ線
ＪＪＪ      羽根部共通の切りこみ線上から羽根部付け根部の折線まで入れられた切りこみ線のＴ字状加工部
ＫＫＫ      羽根部共通の切りこみ線上から羽根部付け根部の折線まで入れられた切りこみ線の釣り針状加工部
【０１６８】
図２１の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧ      羽根部
ＨＨ      羽根部
ＩＩ      共通する切りこみ線
ＺＺ      共通する切りこみ線の両端部を結んだ直線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
【０１６９】
図２２の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧＧ      羽根部
ＨＨＨ      羽根部
ＩＩ      共通する切りこみ線
ＺＺ      共通する切りこみ線の両端部を結んだ直線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
【０１７０】
図２２−１の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧＧ      羽根部
ＧＧＧＧ      羽根部
ＨＨＨ      羽根部
ＨＨＨＨ      羽根部
ＩＩ      共通する切りこみ線
ＪＪ      羽根部共通の切りこみ線上から羽根部付け根部の折線まで入れられた切りこみ線
ＫＫ      羽根部共通の切りこみ線上から羽根部付け根部の折線まで入れられた切りこみ線
ＺＺ      共通する切りこみ線の両端部を結んだ直線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
【０１７１】
図２２−２の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧ      羽根部
ＨＨ      羽根部
ＩＩ      共通する切りこみ線
ＺＺ      共通する切りこみ線の両端部を結んだ直線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＰＰ      羽根部付け根部の折線上に入れられた切りこみ線
ＱＱ      羽根部付け根部の折線上に入れられた切りこみ線
【０１７２】
図２２−３の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧＧ      羽根部
ＧＧＧＧ      羽根部
ＨＨＨ      羽根部
ＨＨＨＨ      羽根部
ＩＩ      共通する切りこみ線
ＪＪ      羽根部共通の切りこみ線上から羽根部付け根部の折線まで入れられた切りこみ線
ＫＫ      羽根部共通の切りこみ線上から羽根部付け根部の折線まで入れられた切りこみ線
ＺＺ      共通する切りこみ線の両端部を結んだ直線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＰＰ      羽根部付け根部の折線上に入れられた切りこみ線
ＱＱ      羽根部付け根部の折線上に入れられた切りこみ線
【０１７３】
図２３の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧＧ      羽根部
ＧＧＧＧ      羽根部
ＨＨＨ      羽根部
ＨＨＨＨ      羽根部
ＩＩ      共通する切りこみ線
ＪＪ      羽根部共通の切りこみ線上から羽根部付け根部の折線まで入れられた切りこみ線
ＫＫ      羽根部共通の切りこみ線上から羽根部付け根部の折線まで入れられた切りこみ線
ＺＺ      共通する切りこみ線の両端部を結んだ直線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＰＰ      羽根部付け根部の折線上に入れられた切りこみ線
ＱＱ      羽根部付け根部の折線上に入れられた切りこみ線
【０１７４】
図２４の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＷＷＷＷ      羽根部
ＷＷＷＷＷ      羽根部
ＷＷＷＷＷＷ      共通する切りこみ線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
【０１７５】
図２５の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧ      羽根部
ＨＨ      羽根部
ＩＩ      共通する切りこみ線
ＺＺ      共通する切りこみ線の両端部を結んだ直線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
【０１７６】
図２６の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧＧ      羽根部
ＧＧＧＧ      羽根部
ＨＨＨ      羽根部
ＨＨＨＨ      羽根部
ＩＩ      共通する切りこみ線
ＪＪ      羽根部共通の切りこみ線上から羽根部付け根部の折線まで入れられた切りこみ線
ＫＫ      羽根部共通の切りこみ線上から羽根部付け根部の折線まで入れられた切りこみ線
ＺＺ      共通する切りこみ線の両端部を結んだ直線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＰＰ      羽根部付け根部の折線上に入れられた切りこみ線
ＱＱ      羽根部付け根部の折線上に入れられた切りこみ線
【０１７７】
図２７の符号の中で
２７−０      羽根部共通の切りこみ線の中間部
２７−１      羽根部
２７−２      羽根部
２７−３      羽根部共通の切りこみ線の中間部
２７−４      羽根部付け根部折線
２７−５      羽根部付け根部折線
２７−６      羽根部の部位
２７−７      羽根部個別の切りこみ線で直線部
２７−８      羽根部個別の切りこみ線で直線部
【０１７８】
図２８の符号の中で
２７−１      羽根部
２７−２      羽根部
【０１７９】
図２９の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧＧ      羽根部
ＧＧＧＧ      羽根部
ＨＨＨ      羽根部
ＨＨＨＨ      羽根部
ＩＩ      共通する切りこみ線
ＪＪ      羽根部共通の切りこみ線上から羽根部付け根部の折線まで入れられた切りこみ線
ＫＫ      羽根部共通の切りこみ線上から羽根部付け根部の折線まで入れられた切りこみ線
ＺＺ      共通する切りこみ線の両端部を結んだ直線
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
ＰＰ      羽根部付け根部の折線上に入れられた切りこみ線
ＱＱ      羽根部付け根部の折線上に入れられた切りこみ線
【０１８０】
図３０の符号の中で
ＡＡ      収納箱長辺の幅
ＢＢ      収納箱短辺の幅
ＣＣ      取り出し口の箱の長辺に沿った幅または共通する切りこみ線の箱の長辺に沿った幅
ＤＤ      取り出し口の箱の短辺に沿った幅
ＥＥ      衛生紙収納用箱
ＧＧ      羽根部
ＧＧＧＧ      羽根部
ＨＨ      羽根部
ＨＨＨＨ      羽根部
ＩＩ      共通する切りこみ線
ＺＺ      共通する切りこみ線の両端部を結んだ直線
ＳＳＳ１      共通する切りこみ線の頂が折線と接触する部
ＳＳＳ２      共通する切りこみ線の頂が折線と接触する部
Ｆ１      取り出し口端点。取り出し口の四角の角である。
Ｆ２      取り出し口端点。取り出し口の四角の角である。
Ｆ３      取り出し口端点。取り出し口の四角の角である。
Ｆ４      取り出し口端点。取り出し口の四角の角である。
【０１８１】
図３１の符号の中で
３１−１      切り込み線終端部釣り針状加工部分
３１−２      切り込み線終端部と他の切り込み線との接触部分でＴ字状に見える部分
３１−３      切り込み線終端部と他の切り込み線との接触部分で碇状に見える部分
【図１】
2010013181.tif 000003
【図２】
2010013181.tif 000004
【図３】
2010013181.tif 000005
【図４】
2010013181.tif 000006
【図５】
2010013181.tif 000007
【図６】
2010013181.tif 000008
【図７】
2010013181.tif 000009
【図８】
2010013181.tif 000010
【図９】
2010013181.tif 000011
【図１０】
2010013181.tif 000012
【図１１−１】
2010013181.tif 000013
【図１１−２】
2010013181.tif 000014
【図１１−３】
2010013181.tif 000015
【図１１−４】
2010013181.tif 000016
【図１２−１】
2010013181.tif 000017
【図１２−２】
2010013181.tif 000018
【図１３】
2010013181.tif 000019
【図１４】
2010013181.tif 000020
【図１５】
2010013181.tif 000021
【図１６】
2010013181.tif 000022
【図１７】
2010013181.tif 000023
【図１８】
2010013181.tif 000024
【図１８−１】
2010013181.tif 000025
【図１８−２】
2010013181.tif 000026
【図１９】
2010013181.tif 000027
【図２０】
2010013181.tif 000028
【図２１】
2010013181.tif 000029
【図２２】
2010013181.tif 000030
【図２２−１】
2010013181.tif 000031
【図２２−２】
2010013181.tif 000032
【図２２−３】
2010013181.tif 000033
【図２３】
2010013181.tif 000034
【図２４】
2010013181.tif 000035
【図２５】
2010013181.tif 000036
【図２６】
2010013181.tif 000037
【図２７】
2010013181.tif 000038
【図２８】
2010013181.tif 000039
【図２９】
2010013181.tif 000040
【図３０】
2010013181.tif 000041
【図３１】
2010013181.tif 000042